(57)【特許請求の範囲】
【請求項１】
プログレッシブ眼鏡レンズデザインを開始デザインの変換によって生成あるいは計算するためにコンピュータで実行される方法であって、
−  開始デザインを定めることであって、該開始デザインは、
−  主線ＨＬの経路のための仕様と、
−  一定のベース目標非点収差ＡＧ＝ｃｏｎｓｔによる少なくとも１つのベース目標等非点収差線ＩＧの仕様であって、前記ベース目標等非点収差線ＩＧが少なくとも第１の所定の制御点
【数１】
0005749180.tif 000177
を通る、仕様と、を備える、ことと、
−  開始デザインを変換することであって、該変換は、
−  予め決定された、あるいは予め決定可能なラインに沿って第１の制御点をシフトさせるステップ
【数２】
0005749180.tif 000178
であって、第１の制御点
【数３】
0005749180.tif 000179
のシフトがデザイン固有および／または眼鏡レンズ着用者固有のデータに基づいて行なわれる、ステップと、
−  ベース目標等非点収差線ＩＧの経路をそれがシフトされた第１の制御点
【数４】
0005749180.tif 000180
を通るように変更するＩＧ→Ｉ’Ｇステップと、
−  変更されたベース目標等非点収差線Ｉ’Ｇを示す目標非点収差分布Ａ（ｕ，ｙ）を生成あるいは計算するステップと、
を含み、
ｘは、水平座標を示し、
ｙは、垂直座標を示し、
ｕは、主線からの点（ｘ，ｙ）の水平距離を示し、
Ａ（ｕ，ｙ）は、変換された開始デザインの目標非点収差分布を示し、
前記少なくとも１つのベース目標等非点収差線ＩＧは、眼鏡レンズの鼻側のベース目標等非点収差線と、眼鏡レンズの側頭側のベース目標等非点収差線と、を含み、各ベース目標等非点収差線はそれぞれ、対応する第１の制御点を通り、前記ＩＧ→Ｉ’Ｇステップにおいて、各ベース目標等非点収差線は、その経路がそれぞれ、シフトされた前記対応する第１の制御点を通るように変更され、
前記ベース目標等非点収差線上の目標非点収差の値は、０．２５Ｄ〜１．０Ｄの範囲内である、
方法。
【請求項２】
前記少なくとも１つの制御点
【数５】
0005749180.tif 000181
をシフトさせるときに考慮に入れられる前記デザイン固有および／または眼鏡レンズ着用者固有のデータは、
−  遠見帯および近見帯の重み付け、および／または、
−  眼鏡レンズの用途の重点、および／または、
−  フレームおよび心取りデータ
に関連するデータを含む、請求項１に記載の方法。
【請求項３】
前記少なくとも１つの制御点
【数６】
0005749180.tif 000182
が前記ラインに沿ってシフトされ、該ラインが直線であり、それにより、
【数７】
0005749180.tif 000183
が成り立ち、
【数８】
0005749180.tif 000184
は、前記直線の外側方向ベクトルを示し、これに沿って前記制御点が移動しあるいは移動でき、
【数９】
0005749180.tif 000185
は、前記直線の内側方向ベクトルを示し、これに沿って前記制御点が移動しあるいは移動でき、
ｔは、前記方向ベクトル
【数１０】
0005749180.tif 000186
による前記直線に沿ったシフトを示す、
請求項１または請求項２に記載の方法。
【請求項４】
前記パラメータｔが以下の式を用いて計算され、
【数１１】
0005749180.tif 000187
ここで、
０≦ｇＦ，Ｎ≦１００が成り立ち、
５０＜ｇＦ，Ｎ≦１００に関しては、
【数１２】
0005749180.tif 000188
が成り立ち、
０≦ｇＦ，Ｎ＜５０に関しては、
【数１３】
0005749180.tif 000189
が成り立ち、
この場合、
ｇＦは、前記遠見帯の重み付け（％）であり、
ｇＮは、前記近見帯の重み付け（％）であり、
ｔａは、最大限に許容できる外側シフトであり、
ｔｉは、最大限に許容できる内側シフトである、
請求項２を引用する請求項３に記載の方法。
【請求項５】
前記遠見帯および／または近見帯の重み付けに応じた最大目標非点収差値Ａｍａｘの適合Ａｍａｘ→Ａ’ｍａｘを更に含む、請求項２、請求項２を引用する請求項３、または請求項４に記載の方法。
【請求項６】
Ａ’ｍａｘ＝ｎ（ｇＦ，ｇＮ）Ａｍａｘであり、  ここで、
【数１４】
0005749180.tif 000190
はスケーリングファクタであり、
ｇＦは前記遠見帯の重み付け（％）であり、０≦ｇＦ≦１００が成り立ち、  ｇＮは前記近見帯の重み付け（％）であり、０≦ｇＮ≦１００が成り立ち、  ＰＡｓｔ  ｍａｘは最大限に許容できる適合（％）であり、０≦ＰＡｓｔ  ｍａｘ≦５０が成り立つ、
請求項５に記載の方法。
【請求項７】
前記遠見帯の重み付けｇＦおよび前記近見帯の重み付けｇＮが顧客選好および／またはフレームデータに応じて定められる、請求項４および請求項６に記載の方法。
【請求項８】
条件ｕ≧ｕ１またはｕ≦−ｕ１が満たされる各水平断面の点における前記目標非点収差分布Ａ（ｕ，ｙ＝ｃｏｎｓｔ）にはスケーリングファクタｓ（ｕ，ｙ）が乗じられる、請求項１から請求項７のいずれか一項に記載の方法。
【請求項９】
ｆ２（ｙ）がパラメータａ、ｂ、ｃ、ｄ、ｍを伴う二重漸近線関数となることができ、    
【数１５】
0005749180.tif 000191
が成り立ち、
【数１６】
0005749180.tif 000192
であり、
ここでｕ２＝ｃｏｎｓｔ，｜ｕ２｜＞｜ｕ１｜，ｆ０＝１である、
請求項８に記載の方法。
【請求項１０】
前記ベース目標等非点収差線ＩＧの経路が一次元関数ｕＧ（ｙ）によって表わされ、前記変更されたベース目標等非点収差線Ｉ’Ｇの経路が一次元関数ｕ’Ｇ（ｙ）によって表わされ、
前記ベース目標等非点収差線が少なくとも１つの枢支点または固定点
【数１７】
0005749180.tif 000193
を通り、
該枢支点または固定点では、条件
【数１８】
0005749180.tif 000194
【数１９】
0005749180.tif 000195
が満たされる、請求項１から請求項９のいずれか一項に記載の方法。
【請求項１１】
前記開始デザインは、前記主線に沿う前記目標非点収差値Ａ０（ｕ＝０，ｙ）のための仕様を含み、
前記変更された目標等非点収差線を示す前記目標非点収差分布Ａ（ｕ，ｙ）の生成または計算は、前記主線上の目標非点収差値Ａ０（ｕ＝０，ｙ）と、前記変更されたベース目標等非点収差線上の目標非点収差値Ａ（ｕ＝０，ｙ）との間の補間を含み、ここでＡ（ｕ＝０，ｙ）＝Ａ０（ｕ＝０，ｙ）が成り立つ、請求項１から請求項１０のいずれか一項に記載の方法。
【請求項１２】
前記補間は、線形補間、四次補間、または、三次補間である、請求項１１に記載の方法。
【請求項１３】
眼鏡着用者の個人パラメータを得るステップを更に含む、請求項１から請求項１２のいずれか一項に記載の方法。
【請求項１４】
所定の開始デザインの変換を行なうよう適合されたデザイン変換手段を備える、プログレッシブ眼鏡レンズデザインを生成あるいは計算するための装置であって、前記開始デザインは、
−  主線ＨＬの経路のための仕様と、
−  一定のベース目標非点収差ＡＧ＝ｃｏｎｓｔによる少なくとも１つのベース目標等非点収差線ＩＧの経路のための仕様であって、前記ベース目標等非点収差線ＩＧが少なくとも第１の所定の制御点
【数２０】
0005749180.tif 000196
を通る仕様と、
を備え、
デザイン計算またはデザイン変換手段は、
−  予め決定された、あるいは予め決定可能なラインに沿って前記第１の制御点
【数２１】
0005749180.tif 000197
の位置のシフト
【数２２】
0005749180.tif 000198
を行なうよう適合された制御点変化手段であって、前記第１の制御点
【数２３】
0005749180.tif 000199
のシフトが、デザイン固有および／または眼鏡レンズ着用者固有のデータに基づいて行なわれる、制御点変化手段と、
−  変更されたベース目標等非点収差線Ｉ’Ｇを、それが前記シフトされた第１の制御点
【数２４】
0005749180.tif 000200
を通るように計算するよう適合されたベース目標等非点収差線計算手段と、
−  前記変更されたベース目標等非点収差線Ｉ’Ｇを示す目標非点収差分布Ａ（ｕ，ｙ）を生成あるいは計算するよう適合された計算手段と、
を備え、
ｘは、水平座標を示し、
ｙは、垂直座標を示し、
ｕは、主線からの点（ｘ，ｙ）の水平距離を示し、
Ａ（ｕ，ｙ）は、変換された開始デザインの目標非点収差値を示し、
前記少なくとも１つのベース目標等非点収差線ＩＧは、眼鏡レンズの鼻側のベース目標等非点収差線と、眼鏡レンズの側頭側のベース目標等非点収差線と、を含み、各ベース目標等非点収差線はそれぞれ、対応する第１の制御点を通り、前記ベース目標等非点収差線計算手段による計算において、各ベース目標等非点収差線は、その経路がそれぞれ、シフトされた前記対応する第１の制御点を通るように変更され、
前記ベース目標等非点収差線上の目標非点収差の値は、０．２５Ｄ〜１．０Ｄの範囲内である、
装置。
【請求項１５】
コンピュータにロードされて実行されるときに請求項１から請求項１３のいずれか一項に記載のプログレッシブ眼鏡レンズデザインを生成あるいは計算するための方法を実行するよう適合されたコンピュータプログラム。
【請求項１６】
コンピュータプログラムが記憶されて成る記憶媒体であって、前記コンピュータプログラムは、コンピュータにロードされて実行されるときに請求項１から請求項１３のいずれか一項に記載のプログレッシブ眼鏡レンズデザインを生成あるいは計算するための方法を実行するよう適合された記憶媒体。
【請求項１７】
プログレッシブ眼鏡レンズを製造するための方法であって、
−  請求項１から請求項１３のいずれか一項に記載のプログレッシブ眼鏡レンズデザインを生成あるいは計算するための前記方法にしたがって前記プログレッシブ眼鏡レンズのためのデザインを計算することと、
−  前記計算された眼鏡レンズデザインに基づいて眼鏡レンズを計算あるいは最適化することと、
を含む、方法。
【請求項１８】
前記眼鏡レンズを計算または最適化することは、以下の目的関数を最小にすることを含み、
【数２５】
0005749180.tif 000201
ここで、
Ａｓｔｉ，ｔａｒｇｅｔは、ｉ番目の評価点における局所非点収差偏差または局所非点収差誤差の目標値を示し、
Ａｓｔｉは、ｉ番目の評価点における局所非点収差偏差または局所非点収差誤差の実際の値を示し、
ｇｉ，Ａｓｔは、ｉ番目の評価点における非点収差偏差または局所非点収差誤差の局所重み付けを示す、
請求項１７に記載の方法。
【請求項１９】
前記局所重み付けｇｉ，Ａｓｔに関して、
【数２６】
0005749180.tif 000202
が成り立ち、
ここでｐは、予め定められた屈折力である、請求項１８に記載の方法。
【請求項２０】
前記眼鏡レンズの計算または最適化が、眼鏡着用者の個人データを考慮に入れて更に行なわれる、請求項１７から請求項１９のいずれか一項に記載の方法。
【請求項２１】
プログレッシブ眼鏡レンズを製造するための装置であって、
−  請求項１から請求項１３のいずれか一項に記載のプログレッシブ眼鏡レンズデザインを生成あるいは計算するための前記方法にしたがって前記眼鏡レンズのためのデザインを計算するよう適合されたデザイン計算手段と、
−  前記計算されたデザインに基づいて前記眼鏡レンズの計算または最適化を実行するよう適合された最適化または計算手段と、
を備える、装置。
【請求項２２】
コンピュータにロードされて実行されるときにプログレッシブ眼鏡レンズを計算および最適化するための方法を実行するよう適合されたコンピュータプログラムであって、前記方法は、
−  請求項１から請求項１３のいずれか一項に記載のプログレッシブ眼鏡レンズデザインを生成あるいは計算するための前記方法にしたがって前記プログレッシブ眼鏡レンズのためのデザインを計算するステップと、
−  前記計算された個々のデザインに基づいて前記眼鏡レンズを計算しあるいは最適化するステップと、
を含む、コンピュータプログラム。
【請求項２３】
コンピュータプログラムが記憶されて成る記憶媒体であって、前記コンピュータプログラムは、コンピュータにロードされて実行されるときにプログレッシブ眼鏡レンズを計算および最適化するための方法を実行するよう適合されており、前記方法は、
−  請求項１から請求項１３のいずれか一項に記載のプログレッシブ眼鏡レンズデザインを生成あるいは計算するための前記方法にしたがって前記プログレッシブ眼鏡レンズのためのデザインを計算するステップと、
−  前記計算された眼鏡レンズデザインに基づいて前記プログレッシブ眼鏡レンズを計算あるいは最適化するステップと、
を含む、記憶媒体。
【発明の詳細な説明】
【技術分野】
【０００１】
本発明は、プログレッシブ眼鏡レンズデザインを計算するための方法、プログレッシブ眼鏡レンズを製造するための方法、プログレッシブ眼鏡レンズデザインを計算してプログレッシブ眼鏡レンズを製造するための対応する装置、対応するコンピュータプログラムプロダクト、および、記憶媒体、並びに、眼鏡レンズの使用に関する。
【背景技術】
【０００２】
それぞれの着用位置および着用状況におけるプログレッシブ眼鏡レンズの計算および最適化は、高い技術的で光学的な基準を達成してきた。例えば、従来技術によれば、個々の処方（球面度数、円柱度数、軸線、加入度数、プリズム、ベース）、および、眼鏡着用者の眼の前方のレンズの個々の位置または配置（角膜頂点間距離（ＣＶＤ）、顔形角（ＦＦＡ）、前傾、または、広角）、並びに、生理学的パラメータ（例えば瞳孔間距離）を考慮に入れて、注文を受けた後に独自のオンラインとしてプログレッシブ眼鏡レンズが最適化されて計算され得る。しかしながら、通例、顧客は、累進長のみが異なる数少ない（通常は２つ）眼鏡レンズデザインから選択するしかない。
【０００３】
また、従来技術によれば、新たに開発されるべき各デザインに、特に各累進帯長に、独自のあるいは個々の目標値（デザイン）が生成されて預けられる。例えば、汎用プログレッシブレンズに加えて、様々な特別なプログレッシブレンズのためのデザインも開発される。様々な特別なプログレッシブレンズのためのデザインは、多くの場合、主要な視対象に関して、すなわち近見帯および遠見帯における主視認方向に関してのみ異なるものである。様々な特別なプログレッシブレンズのためのデザインも開発される。したがって、ＷＯ２００１／０５７５８４は、異なる用途（ドライバー、パイロット、時計屋など）のためのデザインを直ぐに定めることを提案する。デザイン生成に関する、並びに、製造者による多くの異なるデザインのロジスティクスおよび眼鏡技師による必要な製品訓練コースに関する、この非常に複雑な手続きにもかかわらず、これらの標準的なデザインを用いて個々の着用状況に対して満足に対応することは多くの場合不可能である。
【先行技術文献】
【特許文献】
【０００４】
【特許文献１】ＷＯ２００１／０５７５８４
【発明の概要】
【発明が解決しようとする課題】
【０００５】
本発明の目的は、眼鏡レンズデザインを計算するための高速で、効率的で、柔軟な方法、および、計算された眼鏡レンズデザインにしたがって眼鏡レンズを製造するための方法を提供することである。また、本発明の目的は、眼鏡レンズを製造するための対応する装置、並びに、対応するコンピュータプログラムプロダクトおよび記憶媒体を提供することである。更に、本発明の目的は、眼鏡レンズデザインを計算するための方法であって、眼鏡レンズデザインを、（個人の）選好、使用の主要な焦点、フレームデータ、および、眼鏡着用者の他の（個人の）データに、改良された仕方で合わせる方法を提供することである。
【課題を解決するための手段】
【０００６】
この目的は、請求項１の特徴を含むプログレッシブ眼鏡レンズデザインを生成しあるいは計算するための方法、請求項１４の特徴を含むプログレッシブ眼鏡レンズデザインを生成しあるいは計算するための装置、請求項１５の特徴を含むコンピュータプログラムプロダクト、請求項１６の特徴を含む記憶媒体、請求項１７の特徴を含むプログレッシブ眼鏡レンズを製造するための方法、請求項２１の特徴を含むプログレッシブ眼鏡レンズを製造するための装置、請求項２２の特徴を含むコンピュータプログラムプロダクト、請求項２３の特徴を含む記憶媒体、および、請求項２４の特徴を含む眼鏡レンズの使用によって解決される。好ましい実施形態が、従属請求項の主題となっている。
【０００７】
本発明によれば、プログレッシブ眼鏡レンズデザイン、特に個々のプログレッシブ眼鏡レンズデザインを、開始デザインの変換によって生成あるいは計算するためにコンピュータで実行される方法において、
−  開始デザインを定めるステップであって、該開始デザインが、
−  主線ＨＬの経路のための仕様と、
−  一定のベース目標非点収差ＡＧ＝ｃｏｎｓｔによる少なくとも１つのベース目標等非点収差線ＩＧの仕様であって、ベース目標等非点収差線ＩＧが少なくとも第１の所定の制御点
【数１】
0005749180.tif 000002
を通る、仕様と、
を備える、ステップと、
−  開始デザインを変換するステップであって、該変換が、
−  予め決定された、あるいは予め決定可能なカーブに沿って第１の制御点をシフトさせるステップ
【数２】
0005749180.tif 000003
であって、第１の制御点
【数３】
0005749180.tif 000004
のシフトがデザイン固有および／または眼鏡レンズ着用者固有のデータを考慮に入れて行われる、ステップと、
−  ベース目標等非点収差線ＩＧの経路をそれがシフトされた第１の制御点
【数４】
0005749180.tif 000005
を通るように変更するステップＩＧ→Ｉ’Ｇと、
−  変更されたベース目標等非点収差線Ｉ’Ｇを示す目標非点収差分布Ａ（ｕ，ｙ）を生成しあるいは計算するステップと、
を含む、ステップと、
を備え、ここで、
ｘが、水平座標を示し、
ｙが、垂直座標を示し、
ｕが、主線からの点（ｘ，ｙ）の水平距離を示し、
Ａ（ｕ，ｙ）が、変換された開始デザインの目標非点収差分布を示す、
方法が提供される。
【０００８】
プログレッシブ眼鏡レンズの最適化は、通常、プログレッシブ眼鏡レンズの少なくとも１つの光学的パラメータ（例えば、非点収差および／または屈折力）のための所望値または目標値、あるいは少なくとも１つの収差（例えば、非点収差誤差または非点収差偏差および／または屈折誤差）のための所望値または目標値が考慮に入れられる目的関数を最小にすることによって行われる。屈折誤差とは、眼鏡レンズの屈折力と、屈折能測定により決定される屈折力との差である。非点収差偏差または非点収差誤差とは、眼鏡レンズの非点収差と、屈折能測定によって決定される非点収差との差である。好ましくは、これらは、眼鏡レンズの着用位置における値、すなわち、眼鏡レンズ／眼の系を考慮に入れる値である。
【０００９】
目的関数において考慮に入れられる少なくとも１つの光学特性（特に非点収差）または少なくとも１つの収差（特に非点収差偏差）の所望値または目標値は、眼鏡レンズのデザインを特徴付ける。この出願によって定められる目標非点収差値Ａは、特に、非点収差偏差の目標値Ａｓｔｔａｒｇｅｔまたは眼鏡レンズの非点収差（表面非点収差または着用位置における非点収差）のための目標値であると理解される。
【００１０】
例えば、プログレッシブ眼鏡レンズのデザインベースの最適化は、以下の形式の目的関数を最小にすることにより行われ得る。
【数５】
0005749180.tif 000006
【００１１】
上記式において、
ΔＲｉ，ｔａｒｇｅｔは、ｉ番目の評価点における局所屈折誤差の目標値であり、
ΔＲｉは、ｉ番目の評価点における実際の局所屈折誤差であり、
Ａｓｔｉ，ｔａｒｇｅｔは、ｉ番目の評価点における局所非点収差偏差または局所非点収差誤差の目標値であり、
Ａｓｔｉは、ｉ番目の評価点における実際の局所非点収差偏差または実際の局所非点収差誤差であり、
ｇｉ，ΔＲは、ｉ番目の評価点における屈折誤差の局所重み付けであり、
ｇｉ，Ａｓｔは、ｉ番目の評価点における非点収差偏差または非点収差誤差の局所重み付けである。
【００１２】
収差ΔＲｉおよびΔＲｉ，ｔａｒｇｅｔ、並びにＡｓｔｉおよびＡｓｔｉ，ｔａｒｇｅｔの空間分布は、ΔＲ（ｘ，ｙ）およびΔＲｔａｒｇｅｔ（ｘ，ｙ）、並びにＡｓｔ（ｘ，ｙ）およびＡｓｔｔａｒｇｅｔ（ｘ，ｙ）の形式でそれぞれ示すことができる。
【００１３】
ここで、座標系は、例えば、（物体側または眼側において）最適化されるべき眼鏡レンズの表面における座標系に関連しており、座標系の原点は、例えば、（未加工の円形の）眼鏡レンズの幾何学的中心、または、眼鏡レンズの心取りあるいは取付点と一致する。垂直（「ｙ」）および水平（「ｘ」）軸は、幾何学的中心または心取りあるいは取付点において、眼鏡レンズのそれぞれの（眼側または物体側）表面に対する接平面内に位置している。垂直方向は、眼鏡レンズの着用位置における垂直方向に関連することが好ましい。この場合、眼鏡レンズは、例えば（例えばＤＩＮ  ５８  ２０８  ｐａｒｔ  ２に定められるような）平均着用位置または個々の着用位置に配置される。眼鏡レンズは個々の着用位置に配置されるのが好ましい。無論、他の適した座標系で収差の空間分布を示すこともできる。
【００１４】
特に、ｙ軸（ｘ＝０）に関してではなく、主線（主線ではｕ＝０が成り立つ）に関して最適化されるべき表面の座標系によって、すなわち、ΔＲ（ｕ，ｙ）、ΔＲｔａｒｇｅｔ（ｕ，ｙ）、Ａｓｔ（ｕ，ｙ）、および、Ａｓｔｔａｒｇｅｔ（ｕ，ｙ）の形式によって最適化値を示すことが好ましい。目標値または最適化目標値が主線に関して特定される場合には、考慮に入れられるべき眼鏡レンズの着用位置が変えられるとき、特に瞳孔間距離、角膜頂点間距離、前傾、物体距離モデル等が変えられるときに、変えられた主視線に対して主線を適合させるだけで十分である。その結果、目標値または最適化目標値が自動的に調整される。
【００１５】
眼鏡レンズの最適化において目標値として考慮に入れられる、眼鏡レンズにわたる収差の目標値（特に非点収差偏差Ａｓｔｉ，ｔａｒｇｅｔまたはＡｓｔｔａｒｇｅｔ（ｘ，ｙ）またはＡｓｔｔａｒｇｅｔ（ｕ，ｙ））、および随意的には収差の局所重み付け（ｇｉ，Ｒ、ｇｉ，ΔＲ）の空間分布は、プログレッシブ眼鏡レンズのデザインを特徴付ける。言い換えれば、眼鏡レンズのデザインは、通常、眼鏡レンズの最適化において目標値として考慮に入れられる１つまたは２つ以上の収差のための目標値（特に非点収差偏差Ａｓｔｉ，ｔａｒｇｅｔまたはＡｓｔｔａｒｇｅｔ（ｘ，ｙ）またはＡｓｔｔａｒｇｅｔ（ｕ，ｙ））の分布を備える。
【００１６】
ここで、特に、主線、および、眼鏡レンズにわたる非点収差偏差の目標値Ａｓｔｉ，ｔａｒｇｅｔまたはＡｓｔｔａｒｇｅｔ（ｘ，ｙ）またはＡｓｔｔａｒｇｅｔ（ｕ，ｙ）の空間分布は、プログレッシブ眼鏡レンズのデザイン定義および最適化において中心的な役割を果たす。例えば、プログレッシブレンズデザインの分類および視野サイズの評価は、非点収差分布に基づいて適切に行なわれる。また、眼鏡レンズデザインは、屈折誤差、倍率誤差、歪み誤差、または、他の収差のための目標値の分布を備えることもできる。ここで、これらの値は、表面値、または、好ましくは着用値、すなわち、眼鏡レンズの着用位置における値であり得る。
【００１７】
また、眼鏡レンズデザインは適切な物体距離モデルを備えることができる。例えば、物体モデルは、主線に沿う相互物体距離（ｒｅｃｉｐｒｏｃａｌ  ｏｂｊｅｃｔ  ｄｉｓｔａｎｃｅ）として規定される物体距離関数を備えることができる。標準化された物体距離モデルは例えばＤＩＮ  ５８  ２０８  ｐａｒｔ  ２（画像６参照）に示されている。しかしながら、物体距離モデルは、この標準的な物体距離モデルから逸脱することがあり得る。
【００１８】
主線は略直線または曲線であると理解され、該主線に沿って遠見部から近見部への眼鏡レンズの屈折力の所望の増大が達成される。主線は、眼鏡レンズ上下に対して、すなわち、略垂直方向に沿ってほぼ中心付けられる。したがって、主線は、目標値の記述のために（物体側または眼側の）最適化されるべき表面の座標系において構成線を構成する。眼鏡レンズの主線の経路は、それが主視線に少なくともほぼ従うように選択される。主線を主視線に適合させるための方法は例えばＥＰ１２７７０７９に記載されている。
【００１９】
主視線は、２つの眼球の回転中心の距離を二等分する垂直面（いわゆる、単眼面）内に位置する線を見るときにそれぞれの眼鏡レンズ表面を通り抜ける主光線の一連の貫通点であると理解される。眼鏡レンズ表面は物体側表面または眼側表面であってもよい。単眼面内の線の位置は、選択された物体距離モデルによって決定される。
【００２０】
プログレッシブ眼鏡レンズデザインは、通常、遠見帯、近見帯、および、中間帯または累進帯を備える。より高い収差が許容される外周帯と比較して良好な結像特性を有する内側帯の画定は、通常、規定される目標等非点収差線によって得られる。眼着用光学素子では、大抵、それに沿う非点収差の大きさが０．５Ｄに等しい等非点収差線が、この目的を達成するために使用される。この線は、以下で詳しく説明するように、目標仕様のための非点収差モデルの構成のために使用されるのが好ましい。
【００２１】
異なるデザインを有する（すなわち、眼鏡レンズの光学特性のための、あるいは収差のための異なる目標仕様を有する、特に非点収差のための、あるいは非点収差偏差のための異なる目標値を有する）プログレッシブ眼鏡レンズ（プログレッシブレンズ）を製造するため、対応する異なるデザインまたは目標仕様が生成あるいは計算されなければならず、また、その後に最適化が行なわれなければならない。その結果、この出願によって定められる眼鏡レンズデザインを生成あるいは計算することは、眼鏡レンズデザインと関連付けられる個々の収差のための目標仕様または目標値、特に非点収差偏差または目標非点収差のための目標仕様を計算あるいは生成することを含む。
【００２２】
本発明によれば、通常の手法とは異なり、預けられた旧来の目標仕様から新たな目標仕様が導出される。したがって、本発明に係る方法を用いると、様々な幅の遠見および／または近見視覚帯および／または低いあるいは高い非点収差勾配を有するプログレッシブ眼鏡レンズデザイン（要するに、プログレッシブレンズデザイン）を、既知の目標仕様を有する既存のプログレッシブレンズデザイン（以下、開始デザインまたは基本デザインと称される）から直接に生成することができる。全てのデザイン変更が同じ開始デザインから得られるため、移行がスムーズである。したがって、顧客ニーズを最良の想定し得る方法で常に満たすために、任意の数のデザインバリエーションが生成され得る。
【００２３】
デザイン変更は、開始デザインの最適化目標仕様、特にベース目標等非点収差線の経路の適切な変化によって行なわれる。
【００２４】
この目的を達成するために、何よりも最初に、
−  主線の仕様、または、主線の経路のための仕様と、
−  一定のベース目標非点収差ＡＧ＝ｃｏｎｓｔによる少なくとも１つのベース目標等非点収差線ＩＧの仕様と、
を備える開始デザインが定められる。
【００２５】
ベース目標等非点収差線ＩＧの経路をより良く制御できるようにするために、少なくとも第１の制御点
【数６】
0005749180.tif 000007
が、ベース目標等非点収差線ＩＧ上で定められ、あるいは特定される。
【００２６】
特に、非点収差仕様を構成するため、あるいは眼鏡レンズにわたる目標非点収差分布を計算するため、眼鏡レンズの鼻側および側頭側のそれぞれの少なくとも１つのベース目標等非点収差線（またはその経路）、好ましくは１つのベース目標等非点収差線が示される。ベース目標等非点収差線の大きさＡＧを自由に選択することができ、有利な大きさは０．２５Ｄ〜１．０Ｄ、特に０．５Ｄである。
【００２７】
また、開始デザインは、主線に沿う屈折力経路のための仕様と、主線ＨＬに沿う目標非点収差値のための仕様とを備えることができる。開始デザインの更なるパラメータ、例えば
−  眼鏡レンズの外周における最大限に許容できる目標非点収差；および／または、
−  最大目標等非点収差線；および／または、
−  予め決定されあるいは予め決定可能な方向での遠見部および近見部におけるベース目標等非点収差線からの最大目標等非点収差線の距離、
を定めることもできる。
【００２８】
開始デザインと関連付けられる目標非点収差値の空間分布は、上記仕様に基づいて適切な補間により決定され得る。
【００２９】
あるいは、開始デザインまたは開始仕様は、眼鏡レンズの最適化されるべき領域の少なくとも一部にわたる目標非点収差値の空間分布を含むことができる。したがって、主線の経路、主線に沿う目標非点収差値、ベース目標等非点収差線の経路、および、開始デザインと関連付けられる随意的な更なるパラメータが、一意的に決定される。
【００３０】
また、開始デザインは、例えばその角膜頂点深さによって定められる開始表面を備えることができる。開始表面が特定されると、主線ＨＬの経路およびベース目標等非点収差線ＩＧの経路も一意的に特定される。
【００３１】
更に、開始デザインに応じて、最大限に許容できるデザイン変更が予め特定あるいは定められ得る。
【００３２】
主線および目標非点収差値の空間分布は、前述した座標系などの水平軸ｘと垂直軸ｙとを有する適切なデカルト座標系、すなわち、例えば眼鏡レンズの最適化されるべき表面内、好ましくは眼鏡レンズの眼側表面内の座標系で表示および計算され得る。該座標系の原点は、例えば、（未加工の円形の）眼鏡レンズの幾何学的中心と一致し、あるいは、眼鏡レンズの心取りまたは取付点と一致する。垂直（「ｙ」）軸および水平（「ｘ」）軸は、幾何学的中心または心取りあるいは取付点において、眼鏡レンズのそれぞれの（眼側または物体側、好ましくは眼側の）最適化されるべき表面に対する接平面内に位置する。垂直方向は、眼鏡レンズの着用位置における垂直方向に関連することが好ましく、この場合、眼鏡レンズは、例えば（例えばＤＩＮ  ５８  ２０８  ｐａｒｔ  ２に規定されるような）平均着用位置または個々の着用位置に配置される。好ましくは、眼鏡レンズは個々の着用位置に配置される。この座標系｛ｘ，ｙ｝において、主線上の点（ｘＨＬ，ｙ）の水平座標ｘＨＬは、形式ｆｕ（ｙ）の関数によって表わすことができる。すなわち、ｘＨＬ＝ｆｕ（ｙ）となる。
【００３３】
しかしながら、座標変換｛ｘ，ｙ｝→｛ｕ，ｙ｝を行なうことが有益であることが分かってきた。この場合、ｘ＝ｕ＋ｆｕ（ｙ）であり、ｕは主線からの点（ｕ，ｙ）の距離を示す。以下、全ての計算が座標系（ｕ，ｙ）で行なわれる。座標系（ｕ，ｙ）では、主線上の全ての点が座標（ｕ＝０，ｙ）を有し、また、ベース目標等非点収差線上の全ての点が座標（ｕＧ（ｙ），ｙ）を有する。
【００３４】
しかしながら、無論、全ての計算を座標系｛ｘ，ｙ｝であるいは別の適した座標系で行なうこともできる。
【００３５】
主線ＨＬおよびベース目標等非点収差線ＩＧは、適切なパラメータ表示によって数学的に定めることができる。例えば、主線ＨＬの経路は、ｆｕ（ｙ）なる形式の一次元の好ましくは連続的な関数によって表わすことができる。言い換えると、主線ＨＬ上の点に関しては、（ｘＨＬ＝ｆｕ（ｙ），ｙ）が成り立つ。主線は、関数ｆｕ（ｙ）が特定されるときに定められる。主線の経路は、開始デザインの変換においては変えられないことが好ましい。
【００３６】
ベース目標等非点収差線ＩＧの経路を形式ｕＧ（ｙ）の一次関数によって表わすこともできる。言い換えると、ベース目標等非点収差線ＩＧ上の点に関しては、（ｘＩＧ（ｙ）＝ｕＧ（ｙ），ｙ）が成り立つ。ベース目標等非点収差線ＩＧは、関数ｕＧ（ｙ）が特定されるときに定められる。関数ｕＧ（ｙ）は連続関数であることが好ましい。更に好ましくは、関数ｕＧ（ｙ）の一次導関数も少なくとも１回連続的に微分可能な関数である。
【００３７】
ベース目標等非点収差線は、多くの適切な一次元の、好ましくは少なくとも１回連続的に微分可能な関数ｕＧ（ｙ）によって表わすことができる。驚くべきことに、関数ｕＧ（ｙ）を適切な方法で少数の可変パラメータによって既に表わすことが可能であり、それにより、開始デザインの計算および変換がかなり簡略化されて加速されることが分かった。
【００３８】
特に、２つの垂直座標ｙＦ，ｙＮを定めることにより、ベース目標等非点収差線を異なる帯域へ、例えば遠見帯、累進帯、および、近見帯へ分けることができる。個々の帯域では、ベース目標等非点収差線を異なる関数ｕＧ（ｙ）によって表わすことができる。個々の帯域は直接に隣接することが好ましい。
【００３９】
累進帯（すなわち、ｙＮ≦ｙ≦ｙＦのとき）では、例えば、主線に沿う所定の屈折力経路が、伴うＭｉｎｋｗｉｔｚ定理にしたがって、あるいは、例えば開始デザインに含まれる所定の開始表面から、ベース目標等非点収差線の経路が直接に特定され、あるいは計算され得る。同様に、以下で説明するように、ベース目標等非点収差線の経路が、現在の物体距離経路および調節モデルから計算され得る。
【００４０】
特定のｙ座標で０．５Ｄベース目標等非点収差線の座標ｕ０５を計算するため、主線の近傍で以下の線形手法を使用することができる。
【数７】
0005749180.tif 000008
ここで、Ａ（ｕ）は、定められたｙ座標を伴う水平断面における主線からの距離（ｕ）での目標非点収差値を示す。
【００４１】
線形手法は、おおよそ、主線から小さく隔たった距離に適用される。主線に沿う屈折力の増大または立ち上がりが比較的大きい場合（累進帯でほぼ常に適用される条件）には、距離ｕ０５が高い精度で計算され得る。
【００４２】
上記方程式において、非点収差の勾配または導関数
【数８】
0005749180.tif 000009
は、決定されるべき未知量である。非点収差の横方向の立ち上がりあるいは非点収差の増大
【数９】
0005749180.tif 000010
は、主線に沿う屈折力増大によりＭｉｎｋｗｉｔｚ定理にしたがって決定され得る。したがって、主線からの境界線の点の水平距離、または、ベース目標等非点収差線のｕ座標を同様に決定できる。以下が成り立つ。
【数１０】
0005749180.tif 000011
ここで、
【数１１】
0005749180.tif 000012
は、主線からの距離に伴う水平方向での目標非点収差の増大を示し、
【数１２】
0005749180.tif 000013
は、垂直方向での屈折力の勾配を示す。
【００４３】
このとき、累進帯における主線からの０．５Ｄベース目標等非点収差線の距離ｕ０５を以下のように計算できる。
【数１３】
0005749180.tif 000014
【００４４】
本発明の一態様によれば、累進帯におけるベース目標等非点収差線の経路を、主線に沿う所定の屈折力経路に基づいて計算するのではなく、現在の物体距離経路および調節モデル（以下、単にａｓｔｉモデルと称す）から計算することが提案される。特に、以下が提案される。
【数１４】
0005749180.tif 000015
ここで、
【数１５】
0005749180.tif 000016
は相互物体距離を示し、ａ１は主線上の物体距離を示しており、また、
Ａｋｋは、角膜頂点球（ｖｅｒｔｅｘ  ｓｐｈｅｒｅ）上の眼の調節結果を示す。
【００４５】
眼鏡レンズのデザイン特性も決定する相互物体距離Ａ１（ｙ）は、眼鏡レンズのための少なくとも連続的な関数として特定され得る。典型的な物体距離関数Ａ１（ｙ）は以下の通りである。
−  遠見帯では、Ａ１（ｙ）＝１／（目標遠見距離）；
−  近見帯では、Ａ１（ｙ）＝１／読書距離；
−  主線に沿う関数Ａ１（ｙ）の垂直移行または垂直経路を、例えば二重漸近線関数によって、あるいはスプライン関数として表わすことができる。
【００４６】
物体空間（すなわち、眼鏡レンズの前方）における距離は、通常、技術光学における符号の規則にしたがって、マイナスとなるように示される。標準的なプログレッシブレンズにおいては、その遠見帯が無限視力に適合され、遠見基準点では、Ａ１（ｙ＝ｙＢＦ）＝０が成り立ち、加入度数≦２、５Ｄに関しては
【数１６】
0005749180.tif 000017
が成り立ち、また、近見基準点では、加入度数＞２、５Ｄに関して、Ａ１（ｙ＝ｙＢＮ）＝−Ａｄｄが成り立つ。近見視力およびルームレンズにおいては、Ａ１（ｙＢＦ）を、考慮されたルーム距離に適合させることができる。
【００４７】
Ａｋｋは、角膜頂点球上の眼の調節結果、または、所望の補正を得るために必要な眼の調節を示す。一般に、主線上の点を通り抜ける主光線に沿う結像に関しては、以下が成り立つ。
【数１７】
0005749180.tif 000018
または
【数１８】
0005749180.tif 000019
（すなわち、全体の屈折力が（Ｄ＋Ａｋｋ）に等しい）
【００４８】
上記式において、
Ｓ’は、（顧客の視覚障害に対応する）眼側波面の両眼転導を示し、
Ａ１は、物体側の両眼転導を示し、
Ｄは、眼鏡レンズの屈折力を示し、
Ａｋｋは、角膜頂点球上の眼の調節結果を示す。
【００４９】
主線構成のための典型的な手法は、
−  （例えば、二重漸近線関数によって、スプライン関数を重ね合わせることによって等）主線に沿う相互物体距離Ａ１（ｙ）を特定すること。
−  Ｓ’（ｙ）を、眼鏡着用者の遠見屈折と同一視すること。すなわち、Ｓ’（ｙ）＝Ｓ’Ｆ＝眼鏡着用者の遠見屈折とすること。
−  調節モデル、例えばＡｋｋ（Ａ１（ｙ））を、Ａ１における線形モデルとして定めること。
−  以下の２つの値の対を介して調節を決定すること。
○遠見調節Ａｋｋ０＝Ａｋｋ（Ａ１＝０）＝０（すなわち、無限遠の物体における調節がない）
○近見調節ＡｋｋＮ＝Ａｋｋ（Ａ１ＢＮ）が、以下のように注文データから計算される
ＡｋｋＮ＝Ｓ’Ｆ−Ａ１Ｎ−Ｓ’Ｎ
この場合、Ｓ’Ｎ＝Ｓ’Ｆ＋ＺおよびＺ＝加入度数
【００５０】
ここでは、Ａ１（ｙ）のための関数経路を規定することだけが要求される。全ての他のパラメータは、計算によって自動的に得られる。
【００５１】
Ｍｉｎｋｗｉｔｚ定理にしたがって、およびａｓｔｉモデルにしたがって計算されるベース目標等非点収差線ｕＭｉｎｋｗｉｔｚおよびｕＡｓｔｉ−Ｍｏｄｅｌｌは、開始デザインの累進帯においてはほぼ一致する。移行帯では、Ｍｉｎｋｗｉｔｚ定理にしたがって、およびａｓｔｉモデルにしたがって計算されるベース目標等非点収差線ｕＭｉｎｋｗｉｔｚおよびｕＡｓｔｉ−Ｍｏｄｅｌｌを僅かに偏位させることができる。（安定化された）遠見帯および近見帯では、Ｍｉｎｋｗｉｔｚ定理にしたがって、およびａｓｔｉモデルにしたがって計算されるベース目標等非点収差線（ｕＭｉｎｋｗｉｔｚおよびｕＡｓｔｉ−Ｍｏｄｅｌｌ）が、かなり異なる可能性がある。
【００５２】
同様に、Ｍｉｎｋｗｉｔｚ定理（要するに、Ｍｉｎｋｗｉｔｚモデル）を使用して決定される経路と、現在の物体距離経路および調節モデル（要するに、ａｓｔｉモデル）から決定される経路とを組み合わせることによって、開始デザインのベース目標等非点収差線の経路を計算することができる。したがって、デザインバリエーションにおける開始デザインの物体距離関数の変化を、改良された方法で考慮に入れることができる。特に、ベース目標等非点収差線を特定するときに物理法則が守られることが確保され得る。また、目標非点収差仕様を安定させることができる。
【００５３】
主線からのベース目標等非点収差線の距離ｕ０５が、例えば以下の式にしたがって決定され得る。
ｕ０５＝ｕＡｓｔｉ−Ｍｏｄｅｌｌ＋ｇ（ｕＭｉｎｋｗｉｔｚ−ｕＡｓｔｉ−Ｍｏｄｅｌｌ）
この場合、
ｕＡｓｔｉ−Ｍｏｄｅｌｌは、現在の物体距離経路および調節モデルから決定される、主線からのベース目標等非点収差線の距離を示し、
ｕＭｉｎｋｗｉｔｚは、Ｍｉｎｋｗｉｔｚ定理にしたがって決定される、主線からのベース目標等非点収差線の距離を示し、また、
ｇは、２つのモデルの重み付けを示す。
【００５４】
制御は、ファクタｇを介して行なわれ、この場合、条件０≦ｇ≦１が成り立つ。
ｇ＝１に関して、ｕ０５＝ｕＭｉｎｋｗｉｔｚ−Ｍｏｄｅｌｌが成り立つ（Ｍｉｎｋｗｉｔｚに従った経路）。ｇ＝０に関しては、ｕ０５＝ｕＡｓｔｉ−Ｍｏｄｅｌｌが成り立つ（非点収差モデルに従った経路）。
【００５５】
ファクタｇは、主線に沿う非点収差または目標非点収差の水平増大の極値から決定され得る。ここでは、主線に沿うｕ方向の目標非点収差の最小導関数または増大
【数１９】
0005749180.tif 000020
および最大導関数または増大
【数２０】
0005749180.tif 000021
が検索されあるいは計算される。水平断面における非点収差の増大が最小である場合（Ａ’＝Ａ’ｍｉｎ）には、ｇ＝０である。
【００５６】
ここでは、ファクタｇは、Ａ’の関数に応じて値０〜１の間で直線的に変化する。
【数２１】
0005749180.tif 000022
この場合、
【数２２】
0005749180.tif 000023
は、水平方向における非点収差の増大を示し、この場合、（ｕ＝０，ｙ）ｙ＝ｃｏｎｓｔであり、
【数２３】
0005749180.tif 000024
は、主線の領域における水平方向での目標非点収差の最大導関数または増大を示し、
【数２４】
0005749180.tif 000025
は、主線の領域における水平方向での目標非点収差の最小導関数または増大を示す。
【００５７】
増大
【数２５】
0005749180.tif 000026
は、例えばＭｉｎｋｗｉｔｚ定理にしたがって、あるいはａｓｔｉモデルにしたがって計算され得る。すなわち、
【数２６】
0005749180.tif 000027
となる。
【００５８】
相互物体距離Ａ１（ｙ）が、デザイン変化で変えられない場合には、前述した２つのモデルの組み合わせを省くことができる。
【００５９】
先に提案された方法にしたがった、すなわち、現在の物体距離経路および調節モデルからの、または、Ｍｉｎｋｗｉｔｚ定理にしたがって決定される経路あるいは現在の物体距離経路および調節モデルから決定される経路の組み合わせによる、０．５ベース目標等非点収差線の経路の計算は、０．５等非点収差線の更なる変換と無関係であり、あるいは、目標非点収差値の更なる変換と無関係である。したがって、本発明の一態様は、プログレッシブ眼鏡レンズの少なくとも１つの帯域に目標非点収差Ａ（ｕ，ｙ）の分布を備えるプログレッシブ眼鏡レンズデザインを生成あるいは計算するためにコンピュータで実行される方法であって、
−  物体距離モデルおよび調節モデルを定めるステップと、
−  特定された物体距離モデルおよび調節モデルに基づき、一定のベース目標非点収差ＡＧ＝ｃｏｎｓｔによるベース目標等非点収差線ＩＧの経路を計算するステップと、
−  ベース目標等非点収差線ＩＧを示す目標非点収差分布Ａ（ｕ，ｙ）を生成あるいは計算するステップと、
を備える、方法に関する。
ここで、
ｘは水平座標を示し、
ｙは垂直座標を示し、
ｕは所定の主線からの点（ｘ，ｙ）の水平距離を示す。
【００６０】
また、本発明の一態様は、プログレッシブ眼鏡レンズを製造あるいは計算するための前述した方法を実行するように構成された対応する装置およびコンピュータプログラムプロダクトに関する。
【００６１】
遠見部および／または近見部において、ベース目標等非点収差線の連続または経路は、独立に特定することができ、あるいは自由に且つ無限に（特定の所定の限界内で）変更することができ、したがって、デザイン仕様を作ることができる。
【００６２】
例えば、近見部または近見帯におけるベース目標等非点収差線は、パラメータまたは係数ａｎ、ｂｎ、ｃｎ、ｄｎを伴う以下の関数によって表わされ、あるいは特定され得る。
【数２７】
0005749180.tif 000028
【００６３】
遠見部では、ベース目標等非点収差線を例えばパラメータまたは係数ａｆ、ｂｆ、ｃｆを伴う以下のｎ次多項式によって表わされ、あるいは特定され得る（以下では、手短に、多項式表示とも称される）。
【数２８】
0005749180.tif 000029
このタイプの関数は、ハードデザインを表わすのに特に適する。
【００６４】
あるいは、遠見部では、ベース目標等非点収差線をパラメータまたは係数ａ、ｂ、ｃ、ｄを伴う以下の関数によって表わされ、あるいは特定され得る（以下では、手短に、逆正接表示とも称される）。
【数２９】
0005749180.tif 000030
そのような関数は、ソフトデザインを表わすのに特に適する。
【００６５】
無論、ベース目標等非点収差線は、他の適したパラメータ表示によってもされ、あるいは特定され得る。
【００６６】
第２のステップでは、開始デザインが変換される。開始デザインの変換は、以下のように予め決定されあるいは予め決定可能なカーブに沿って第１の制御点をシフトすることを含む。
【数３０】
0005749180.tif 000031
この場合、
【数３１】
0005749180.tif 000032
は、シフトされる第１の制御点を示す。それに沿って第１の制御点がシフトされる予め決定されあるいは予め決定可能なカーブｕ→ｙ、Ｋ：ｕ→ｋ（ｕ）は、任意のカーブであることが可能である。
【００６７】
また、ベース目標等非点収差線が更なる制御点を通過することもできる。更なる制御点は、対応する予め決定されあるいは予め決定可能なカーブに沿ってシフトされ得る。この場合、変更されたベース目標等非点収差線は、それがシフトされた制御点を通過するように計算される。それに沿ってそれぞれの制御点がシフトされ得るカーブの方向は、任意の方向であることが可能である。
【００６８】
その後、ベース目標等非点収差線ＩＧの経路は、それがシフトされた第１の制御点を通過するように変更される。ここでは、ベース目標等非点収差線ＩＧの経路だけが変更されるのであって、ベース目標等非点収差線に沿う目標非点収差の一定の大きさＡＧは変更されない。
【００６９】
例えば、ベース目標等非点収差線の経路は、予め決定された変換にしたがって変更される。
【数３２】
0005749180.tif 000033
この場合、
【数３３】
0005749180.tif 000034
となっている。
【数３４】
0005749180.tif 000035
は、ベース目標等非点収差線ＩＧの経路を特定する一次関数を示し、
【数３５】
0005749180.tif 000036
は、変更されたベース目標等非点収差線Ｉ’Ｇの経路を特定する一次関数を示す。
【００７０】
第１の制御点および随意的に更なる制御点（したがって、ベース目標等非点収差線の経路）は、眼鏡着用者または眼鏡レンズデザインの個々のニーズに対する視覚帯（例えば遠見帯および／または近見帯）の最適な適合を達成するために、予め決定されたデザインまたは眼鏡着用者に固有の仕様またはフレームワーク状態に基づいて、直接にあるいは手動であるいは自動的にシフトされ得る。それぞれの制御点の最大限に許容できる外側への（すなわち、主線へ向かう）および／または内側への（すなわち、眼鏡レンズまたは眼鏡レンズ縁の外周へ向かう）シフトが特定され得る。第１の制御点および随意的に更なる制御点をシフトさせるときにそのデータが考慮に入れられる眼鏡着用者は、平均的な眼鏡着用者または特定の眼鏡着用者または特定の顧客であることが可能である。
【００７１】
少なくとも１つの制御点
【数３６】
0005749180.tif 000037
をシフトさせるときに考慮に入れられる、デザインおよび／または眼鏡レンズ着用者に固有のデータまたはフレームワーク状態は、特に、
−  遠見帯および近見帯の重み付け、および／または、
−  眼鏡レンズの用途の重点、および／または、
−  フレーム・心取りデータ
に関連するデータを含むことができる。
【００７２】
特に、デザインおよび／または眼鏡レンズ着用者に固有のデータまたはフレームワーク状態は、顧客選好、個々の選好の重み付け、および、他のパラメータに関連するデータを含むことができる。
【００７３】
少なくとも１つの制御点の位置を決定するとき、あるいは、変更されたベース目標等非点収差線の経路を計算するときに考慮に入れられるデザインおよび／または眼鏡レンズ着用者に固有のデータまたはフレームワーク状態は、以下のデータまたはデータのセットのうちの１つまたは２つ以上を更に含むことができる。
−  屈折データまたは屈折力のパラメータ、特に、球面度数、円柱度数、円柱軸、加入度数；および／または、
−  眼鏡レンズデザインが生成あるいは設計される目的となる、眼鏡レンズの主要な用途（例えば、運転、コンピュータ職場、読書、工芸など）に関連するデータ；および／または、
−  眼鏡着用者の平均的なあるいは個々のパラメータ、および／または、眼鏡着用者の眼の前方における眼鏡レンズまたは眼鏡の着用位置。眼鏡着用者の平均的なあるいは個々のパラメータ、および／または、眼鏡レンズの着用位置は、特に、瞳孔間距離、角膜頂点間距離（ＣＶＤ）、前傾（ＦＩ）等を含む；および／または、
−  平均的なあるいは個々の物体距離、特に読書（近見作業）時の作動距離、遠見時の作動距離に関連するデータ；および／または、
−  遠見および近見の主視野方向に関連するデータ、
−  今までに着用された眼鏡レンズに関連する個々のデータ、特に、以前の眼鏡レンズが単一視、遠近両用、または、プログレッシブ眼鏡レンズであるかどうかに関する、今までに着用された眼鏡レンズに関連する個々のデータ、デザイン（ハード／ソフト）、累進長、タイプ（個別、定型）、材料（プラスチック／ケイ酸塩）、屈折率、基準点の位置、以前の眼鏡レンズの加入度数、および／または、以前の眼鏡レンズの屈折データと比べた屈折データの変化、に関連するデータ、および／または、
−  今までに着用した眼鏡に対する個々の望ましい改良、特に、より大きな遠見帯、より大きな中間帯、より大きな近見帯、読書時のより小さな下転、または低減された揺動運動、に関連するデータ、および／または、
−  平均的なあるいは個々の環境的影響に関連するデータ（周囲の輝度など）、および／または、
−  潜在的に存在する個々の例外的な頭部および身体の姿勢に関連するデータ、および／または、
−  個々の生理学的パラメータ、特に眼鏡着用者の１または複数の眼の個々の生理学的パラメータ、特に、矯正視力、立体視の閾値；および／または、
−  屈折能測定における物体距離に関連するデータ：遠見および近見。
【００７４】
また、デザインおよび／または眼鏡レンズ着用者に固有のデータまたはフレームワーク状態は、更なるパラメータを備えることができる。
【００７５】
変更されたベース目標等非点収差線Ｉ’Ｇが定められた後、変更されたベース目標等非点収差線Ｉ’Ｇを示す目標非点収差分布Ａ（ｕ，ｙ）が、次のステップで計算あるいは生成される。変更されたベース目標等非点収差線Ｉ’Ｇを示す目標非点収差分布の生成または計算は、主線と、変更されたベース目標等非点収差線Ｉ’Ｇとの間の目標非点収差値の補間を含むことができる。以下、ベース目標等非点収差線の変更、および、変更されたベース目標等非点収差線Ｉ’Ｇを示す目標非点収差分布の生成または計算について詳しく説明する。
【００７６】
このように計算された目標非点収差分布は、更に変換され得る。例えば、スケーリングファクタを乗じることによる垂直方向での更なる圧縮または伸長等によって、計算された目標非点収差分布を更に変換することができる。
【００７７】
したがって、本発明に係る方法を用いると、眼鏡レンズのデザイナーは、任意のプログレッシブレンズデザインまたは目標非点収差の任意の分布を、高速且つ効率的な方法で生成あるいは変えることができる。特に、本発明に係る方法を用いると、既存のプログレッシブレンズデザイン（開始デザインまたは基本デザイン）のためのデザイン特性を、迅速且つ効率的に変更することができ、かつ、それを顧客ニーズに合わせることができる。また、比較的簡単で高速の計算により、低い、あるいは高い非点収差勾配を伴う更に大きな、あるいは更に小さな視覚帯を有する（例えば、大きいあるいは小さい遠見部、広いあるいは狭い近見部を有する）変形またはデザインを生成することができる。したがって、本質的な利点は、特に個々のプログレッシブ眼鏡レンズにとって適した目標仕様を生成するための前述の付加的な労力を回避できるという点である。更なる利点は、開始デザインのデザイン特性および良好な結像特性を失うことなく、所定の限界範囲内で視覚帯を任意に且つ無限に調整できる可能性である。したがって、顧客ニーズを最良の想定し得る方法で常に満たすために、任意の数のデザイン変形例を生成することができる。
【００７８】
本発明に係る方法は、
−  ドライバーのための、大きい、広い遠見部を有するプログレッシブレンズ、
−  大きい遠見部、低い加入度数、および、小さい勾配を有するスポーツ用プログレッシブレンズ（活動的な行動のためのレンズ）、
−  広い近見部と４０ｃｍの主作業焦点とを有するレンズ、
−  様々なコンピュータ職場用レンズ、並びに、近見レンズおよびルームレンズ、
などの異なる分野の用途に適合する個々のデザインを生成するのに特に適するとともに、生成されたデザインに基づいて個々の眼鏡レンズを製造するのに特に適する。
【００７９】
１つの実施形態によれば、少なくとも１つの制御点
【数３７】
0005749180.tif 000038
がカーブに沿ってシフトされ、該カーブが直線であり、それにより、
【数３８】
0005749180.tif 000039
が成り立ち、この場合、
【数３９】
0005749180.tif 000040
は、直線の外側方向ベクトルを示し、これに沿って制御点が移動しあるいは移動でき、
【数４０】
0005749180.tif 000041
は、直線の内側方向ベクトルを示し、これに沿って制御点が移動しあるいは移動でき、
ｔは、方向ベクトル
【数４１】
0005749180.tif 000042
による直線に沿ったシフトを示す。
【００８０】
それに沿って少なくとも１つの制御点をシフトさせることができる直線の方向は、任意の方向であり得る。例えば、それに沿ってそれぞれの制御点が移動するあるいは移動できる直線は、所定の制御点
【数４２】
0005749180.tif 000043
におけるベース目標等非点収差線の正規曲線と一致する。
【００８１】
ここで、シフトｔ、すなわち視野サイズを制限することができ、その場合、ｔａが、最大限に許容できる外側偏差を示し、ｔｉが、最大限に許容できる内側偏差を示す。このとき、例えば近見部における最大視野サイズは、直線
【数４３】
0005749180.tif 000044
に沿って制御点
【数４４】
0005749180.tif 000045
が十分外側に（すなわち、外周へ向けて）シフトされることを意味する。それに応じて、例えば近見部における最小視野サイズは、直線
【数４５】
0005749180.tif 000046
に沿って制御点
【数４６】
0005749180.tif 000047
が十分内側に（すなわち、主線へ向けて）シフトされることを意味する。
【００８２】
例えば、パラメータｔを以下の式を用いて計算することができ、
【数４７】
0005749180.tif 000048
ここで、
０≦ｇＦ，Ｎ≦１００が成り立ち、
５０＜ｇＦ，Ｎ≦１００に関しては、
【数４８】
0005749180.tif 000049
が成り立ち、
０≦ｇＦ，Ｎ＜５０に関しては、
【数４９】
0005749180.tif 000050
が成り立ち、
この場合、
ｇＦは、遠見帯の重み付け（％）を示し、
ｇＮは、近見帯の重み付け（％）を示し、
ｔａは、最大限に許容できる外側シフトを示し、
ｔｉは、最大限に許容できる内側シフトを示す。
【００８３】
５０％（ｇＦ，Ｎ＝５０）の遠見帯または近見帯の重み付けにおいては、ｍ＝０である。すなわち、基本デザインは変更されない。それぞれの重み付けが（５０％，１００％］（５０＜ｇＦ，Ｎ≦１００）の区間にある場合、０＜ｍ≦１および
【数５０】
0005749180.tif 000051
が成り立つ。すなわち、それぞれの視覚帯が広げられる。遠見帯または近見帯のそれぞれの重み付けが（０％，５０％］（０≦ｇＦ，Ｎ＜５０）の区間にある場合、−１≦ｆ＜０および
【数５１】
0005749180.tif 000052
が成り立つ。すなわち、それぞれの視覚帯が低減される。
【００８４】
重み付けｇＦ，Ｎ＝１００は、制御点
【数５２】
0005749180.tif 000053
が直線
【数５３】
0005749180.tif 000054
に沿って外側に最大限にシフトされること、すなわち、ｔ＝ｔａであることを意味する。この場合、
【数５４】
0005749180.tif 000055
が成り立つ。したがって、重み付けｇＦ，Ｎ＝０は、制御点
【数５５】
0005749180.tif 000056
が直線
【数５６】
0005749180.tif 000057
に沿って内側に最大限にシフトされること、すなわち、ｔ＝ｔｉであることを意味する。この場合、
【数５７】
0005749180.tif 000058
が成り立つ。
【００８５】
重み付けｇＦ，Ｎが定められる場合には、関連する直線パラメータｔを以下のファクタを用いて決定することができる。
【数５８】
0005749180.tif 000059
【００８６】
ｇＦ，Ｎ＝５０のときには、ｆ＝０であり、開始デザインまたは基本デザインは変更されない。
【００８７】
重み付けｇＦ≠５０および／またはｇＮ≠５０は、視野サイズを変え、したがって開始デザインまたは基本デザインも変える。
【００８８】
プログレッシブ眼鏡レンズデザインを生成あるいは計算する方法は、遠見帯および／または近見帯の重み付けに応じた最大目標非点収差値Ａｍａｘの適合Ａｍａｘ→Ａ’ｍａｘを更に含むことができる。
【００８９】
５０％から外れる遠見帯および／または近見帯の重み付け（ｇＦ，Ｎ≠５０および／またはｇＦ，Ｎ≠５０）は、それぞれの視覚帯のサイズを変え、したがって、眼鏡レンズ上の外周領域のサイズも変える。ここで眼鏡レンズ上の外周領域においては、収差が更に高い値を有することができ、あるいは有することが許容される。好ましくは、少なくとも１つの第１の制御点がシフトされた後に決定されあるいは計算される目標非点収差分布Ａ（ｕ，ｙ）について、最大限に許容される目標非点収差Ａｍａｘの適合が行なわれる。例えば、遠見帯が広げられおよび／または近見帯が広げられる場合には、通例、Ａｍａｘが増大される（非点収差のためのサンドボックスモデル）。しかしながら、遠見帯が低減されおよび／または近見帯が低減される場合には、Ａｍａｘが低減される。
【００９０】
例えば、最大限に許容できる目標非点収差値Ａｍａｘは、以下の式にしたがって、遠見部および／または近見部の重み付けに応じて適合され得る。
Ａ’ｍａｘ＝ｎ（ｇＦ，ｇＮ）Ａｍａｘ
この場合、
【数５９】
0005749180.tif 000060
は、スケーリングファクタであり、
ｇＦは、遠見帯の重み付け（％）であり、ここで０≦ｇＦ≦１００が成り立ち、
ｇＮは、近見帯の重み付け（％）であり、ここで０≦ｇＮ≦１００が成り立ち、
ＰＡｓｔ  ｍａｘは、最大限に許容できる適合（％）であり、ここで０≦ＰＡｓｔ  ｍａｘ≦５０が成り立つ。
例えば、ＰＡｓｔ  ｍａｘ＝１５である。
【００９１】
遠見部および／または近見部の重み付けに応じた目標非点収差分布Ａ（ｕ，ｙ）の最大限に許容される非点収差の適合は、目標非点収差分布Ａ（ｕ，ｙ）が決定された方法とは無関係に行なわれてもよい。例えば、開始デザインまたは基本デザインからその伸長または圧縮によって得られた目標非点収差分布の最大限に許容できる非点収差が、前述した方法を用いて適合され得る。
【００９２】
したがって、本発明の更なる態様は、プログレッシブ眼鏡レンズを製造あるいは計算するためにコンピュータで実行される方法であって、
−  開始目標非点収差分布Ａ（ｕ，ｙ）の特定ステップと、
−  遠見帯および／または近見帯の予め決定されあるいは予め決定可能な重み付けに応じた開始目標非点収差分布における最大目標非点収差値Ａｍａｘの適合ステップＡｍａｘ→Ａ’ｍａｘと、
を備える、方法に関する。
【００９３】
遠見帯の重み付けｇＦおよび近見帯の重み付けｇＮは、顧客選好および／またはフレームデータに応じて定められ得る。
【００９４】
遠見帯および近見帯の重み付けｇＦ、ｇＮは、デザイン設計者により適切に定められることができ、あるいは、視野における遠見帯の重要性または近見帯の重要性に関して検出される顧客データまたは顧客選好から自動的に導出されることができる。得られる顧客データまたは顧客選好から遠見帯および／または近見帯の重み付けを計算するための方法は、例えばＷＯ２００８／０８９９５に記載されている。
【００９５】
同様に、重み付けｇＦ、ｇＮが、フレームデータから導出され得る。例えば、長いレンズの場合には、厄介な横収差を減らすために、外周遠見帯に対して更に高い重み付けを割り当てることができる。デザイン変化を伴うことなく、すなわち、境界非点収差線の経路を変えることなく、基準点遠見および／または近見を上方へおよび／または下方へ単にシフトさせることは、問題を殆ど解決しないが、一方では、累進長を更に短くして、チャンネル幅を減少させる。境界非点収差線は、特に、側頭および鼻のベース目標等非点収差線、並びに、随意的に側頭および鼻の更なる目標非点収差線であると理解される。
【００９６】
スポーツフレームは、通常は高い顔形角を有し、それらの眼鏡が主に活動的な行動（例えば、ランニング、サイクリング、スキー、ジョギングなど）のために使用され、近見作業ではそれほど使用されないため、「活動的挙動の重要性」と同様、顔形角をデザイン制御において考慮に入れることもできる。特に、重み付けｇＦ（遠見帯の重み付け）、ｇＮ（近見帯の重み付け）、ｇＤ（動的な視覚的印象と関連がある重み付けダイナミクス）、および顔形角の線形依存性が、定式化され得る。例えば、顔形角が大きければ大きいほど、ｇＦおよびｇＤが大きくなり、ｇＮが小さくなる。
【００９７】
プログレッシブ眼鏡レンズデザインを生成あるいは計算するための方法は、スケーリングステップを更に備えることができる。スケーリングステップにおいては、条件ｕ≧ｕ１またはｕ≦−ｕ１が満たされる各水平断面の点における目標非点収差値Ａ（ｕ，ｙ＝ｃｏｎｓｔ）にスケーリングファクタｓ（ｕ，ｙ）が乗じられる。
【００９８】
開始デザインの前述した変換によって得られる目標非点収差分布Ａ（ｕ，ｙ）を、更に変換することができる。すなわち、以下のように更にスケーリングファクタｓ（ｕ，ｙ）を乗じることにより、目標非点収差分布Ａ（ｕ，ｙ）を変換することができる。
【数６０】
0005749180.tif 000061
【００９９】
主線に沿う特性を得るために、条件ｕ≧ｕ１またはｕ≦−ｕ１が満たされる点に関してスケーリングファクタの乗算を行なうことができる。この場合、目標非点収差値は、主線の近傍で変えられない（すなわち、｜ｕ｜＜｜ｕ１｜のとき）。また、ｕ＝｜ｕ１｜のときには、スケーリングファクタｓを１に設定できる。すなわち、ｓ（±ｕ１，ｙ）＝１となる。
【０１００】
ある特別な用途においては、開始デザインを大きく変更することが生理学的に有益となり得る。これに関する一例は、高速活動スポーツ用のプログレッシブレンズである。ここで、大きな誤差がない遠見帯、および側頭領域での非常に滑らかな移行（僅かな揺動運動）への必要性が特に重要である。しかし、近見帯のサイズはあまり重要ではない。他の極端な、すなわち、非常に大きな広い近見帯は、例えば精密な活動のために求められ、興味の対象にもなり得る。そのような要求をより良く満たすため、非点収差のための目標仕様の計算に関して、表面に関して目標にされた方法で目標非点収差値に更に影響を与えるよう、更なるファクタｓ（ｕ，ｙ）が使用され得る。
【０１０１】
典型的な関数ｓ（ｕ，ｙ）が以下のように定められ得る。
【０１０２】
眼鏡レンズのそれぞれの水平断面ｙ＝ｃｏｎｓｔにおいて、目標非点収差値には、各レンズ半体（鼻、側頭）に関数値１を有する所定の内側ｕ座標ｕ１から外側へ向けて直線的に変化するファクタが乗じられる。無論、水平断面内での直線的な変化の代わりに、他の関数を同様に使用できる（例えば、ｕの四次関数（ｑｕａｄｒａｎｇｕｌａｒ  ｆｕｎｃｔｉｏｎ）、ｕの三次関数、二重漸近線関数など）。
【０１０３】
また、第２の構成線ｕ２（ｙ）を定めることができる。例えば、ｕ２＝ｃｏｎｓｔ、｜ｕ２｜＞｜ｕ１｜である。構成線ｕ２（ｙ）上のスケーリングファクタｓ（ｕ２，ｙ）の値は、異なる水平断面において様々に特定され得る。
【０１０４】
特に、直線点（ｕ２，ｆ２（ｙ））（ｕの一次関数に関して）が、異なる水平断面ｙ＝ｃｏｎｓｔにおいて様々に特定され得る。言い換えれば、ｕ２での外関数値ｆ２が、遠見帯、近見帯、および、累進帯において様々に特定され得る。すなわち、ｆ２＝ｆ（ｙ）となる
【０１０５】
活動的スポーツレンズにおいては、中間レンズ領域または上側レンズ領域における外周非点収差を、例えば更に減らすことができる。その結果、上側レンズ領域では、関数ｆ２（ｙ）を明らかに１よりも小さく（ｆ２（ｙ）＜１）、好ましくは０．５よりも小さくすることができる。近見帯では、関数ｆ２（ｙ）が再び値１をとってもよい。近見帯では、ｆ２（ｙ）≒１が成り立つことが好ましい。
【０１０６】
更に広い近見帯の場合には、正反対の経路が有益である。上側領域においては、変更が行なわれないことが好ましい。すなわち、ｆ２（ｙ）≒１である。近見帯では、非点収差の更なる減少が行なわれる。すなわち、ｆ２（ｙ）＜１である。
【０１０７】
したがって、遠見帯、近見帯、および／または、外周における目標非点収差は、制御が簡単な関数によって、目標にされた方法で更に影響されあるいは低減され得る。
【０１０８】
例えば、ｆ２（ｙ）が、パラメータａ、ｂ、ｃ、ｄ、ｍを伴う二重漸近線関数であってもよく、ここで、
【数６１】
0005749180.tif 000062
が成り立ち、また、
【数６２】
0005749180.tif 000063
であり、
この場合、｜ｕ２｜＞｜ｕ１｜である。
【０１０９】
レンズ周縁ｕ２でのファクタｆ２（ｙ）のための取り扱いが簡単な関数は、パラメータａ、ｂ、ｃ、ｄ、ｍを伴う以下の二重漸近線関数である。
【数６３】
0005749180.tif 000064
関数ｓ（ｕ，ｙ）に関しては以下が成り立つ。
【数６４】
0005749180.tif 000065
【０１１０】
二重漸近線関数ｆ２（ｙ）の係数ｂ、ｃ、ｄおよびｍは、予め定められ、あるいは予め特定され得る。例えば、ｂ＝１、ｃ＝−０．３、ｄ＝５、ｍ＝１、ａｍａｘ＝−０．５を設定することができる。このとき、重み付けダイナミクスｇＤに基づいて、偏差、または仰角またはハブａが制御され得る。例えば、二重漸近線関数ｆ２（ｙ）の係数ａに関しては以下が成り立つ。
【数６５】
0005749180.tif 000066
【０１１１】
ｇＤ＝８０％およびａｍａｘ＝−０．５に関して、ａは−０．４である。遠見部における降下はａ＝−０．４であり、スケーリングファクタｓ（ｙＦＴ）の値＝１−０．４＝０．６である。
【０１１２】
前述したスケーリングステップまたは前述したスケーリング方法は、この目標非点収差分布が得られる方法に関係なく、任意の目標非点収差分布に適用され得る。特に、前述したスケーリング方法は、ベース目標等非点収差線の変換によって得られる目標非点収差分布のスケーリングに限定されない。
【０１１３】
したがって、本発明の一態様は、開始デザインの変換によってプログレッシブ眼鏡レンズデザインを生成あるいは計算するためにコンピュータで実行される方法において、
−  開始デザインを特定するステップであって、開始デザインが開始目標非点収差分布Ａ（ｕ，ｙ）を備える、ステップと、
−  条件｜ｕ｜＞｜ｕ１｜が満たされる各水平断面の点において目標非点収差値Ａ（ｕ，ｙ＝ｃｏｎｓｔ）にスケーリングファクタｓ（ｕ，ｙ）を乗じることによって開始デザインを変換するステップであって、好ましくはｓ（ｕ１，ｙ）＝１が成り立つ、ステップと、
を含む、方法に関する。
【０１１４】
先に説明したように、ベース目標等非点収差線は、簡単な方法でパラメータ表示され得る。この場合、異なる帯域（例えば、２つの垂直座標ｙＦおよびｙＮを定めることにより定められ得る遠見帯、近見帯、および／または累進帯）では、ベース目標等非点収差線が様々な関数によって表され得る。以下、ベース目標等非点収差線ＩＧがシフトされた第１の制御点を通るような、ベース目標等非点収差線ＩＧの典型的な変換について説明する。
【０１１５】
ベース目標等非点収差線は、変換が行なわれない少なくとも１つの領域を有することができる。ベース目標等非点収差線は、特に、少なくとも１つの枢支点または固定点
【数６６】
0005749180.tif 000067
を通ることができ、この場合、枢支点または固定点では、条件
【数６７】
0005749180.tif 000068
【数６８】
0005749180.tif 000069
が満たされる。
【０１１６】
特に、座標（ｕ，ｙ＝ｙＦ）および／または（ｕ，ｙ＝ｙＮ）を有するベース目標等非点収差線上の点は、枢支点または固定点をそれぞれ構成することができる。
【０１１７】
１つの例によれば、ベース目標等非点収差線は、累進帯（すなわち、ｙＮ≦ｙ≦ｙＦのとき）では変換されない。したがって、導出された個々のデザインは、屈折力経路の特性と、それに関連する開始デザインの累進チャンネルの最小幅と、を維持する。累進帯におけるベース目標等非点収差線の経路は、前述したように、主線に沿う屈折力経路に基づいて、または、現在の物体距離経路および調節モデルから、決定され得る。したがって、座標（ｕ，ｙＦ）および（ｕ，ｙＮ）を有する点は、枢支点または固定点をそれぞれ構成する。
【０１１８】
しかしながら、近見帯および／または遠見帯では、ベース目標等非点収差線の変換を行なうことができる。以下、近見帯におけるベース目標等非点収差線の変更について詳しく説明する。
【０１１９】
先に説明したように、近見帯におけるベース目標等非点収差線は、例えばパラメータまたは係数ａｎ、ｂｎ、ｃｎ、ｄｎを伴う以下の形式の関数によって表わすことができる。
【数６９】
0005749180.tif 000070
【０１２０】
この関数の一次導関数は、
【数７０】
0005749180.tif 000071
である。
【０１２１】
ベース目標等非点収差線は、近見部における第１の予め決定されあるいは予め決定可能な制御点
【数７１】
0005749180.tif 000072
を通過する。
【０１２２】
開始デザインを変換することは、予め決定されあるいは予め決定可能なカーブに沿って、特に直線に沿って、第１の制御点をシフトさせること、すなわち、
【数７２】
0005749180.tif 000073
【数７３】
0005749180.tif 000074
を含む。制御点のシフトは、前述したように眼鏡着用者の個人データに応じて行なわれる。
【０１２３】
変更されたベース目標等非点収差線Ｉ’Ｇは、パラメータａ’ｎ、ｂ’ｎ、ｃ’ｎ、ｄ’ｎを伴う以下の形式の関数によって表わされる。
【数７４】
0005749180.tif 000075
【０１２４】
パラメータまたは係数ａｎ＝ａ’ｎは、適切な方法で特定または定められ得る。上記関数の残りのパラメータは、シフトされた制御点
【数７５】
0005749180.tif 000076
のデータから、随意的には更なる条件を考慮に入れることにより計算あるいは決定され得る。そのような条件は、（近見帯の境界上の）垂直座標ｙＮと（遠見帯の境界上の）垂直座標ｙＦとの間で延びる累進帯におけるベース目標等非点収差線の経路が変更されず、それにより、この帯域（すなわち、ｙＮとｙＦとの間）で、開始デザインのベース目標等非点収差線と、導出された個々のデザインのベース目標等非点収差線とが一致する、という条件であってもよい。したがって、点（ｕ，ｙ＝ｙＮ）は枢支点または固定点を構成する。同様に点（ｕ，ｙ＝ｙＦ）も枢支点または固定点を構成する。
【０１２５】
開始デザインのベース目標等非点収差線の経路は予め決定されているので、主線からのベース目標等非点収差線の距離ｕ、並びにｙ＝ｙＮでの一次導関数によって決定される、累進帯における開始デザインのベース目標等非点収差線の経路のデータに基づいて、計算され得る。
【０１２６】
このデータと、シフトされた制御点の座標のデータとに基づいて、一次方程式の以下の系を解くことにより、変更されたベース目標等非点収差線の残りのパラメータ、すなわち近見帯における変更されたベース目標等非点収差線の経路が、一意的に計算され得る。
【数７６】
0005749180.tif 000077
【数７７】
0005749180.tif 000078
【数７８】
0005749180.tif 000079
【０１２７】
ハードデザインの遠見部におけるベース目標等非点収差線の経路は、通常、制御点を特定して操作することによっても変更され得る。特に、遠見部におけるベース目標等非点収差線は、パラメータまたは係数ａｆ、ｂｆ、ｃｆを伴う以下の関数によって表わされ得る。
【数７９】
0005749180.tif 000080
通常は、多項式の屈折力ｎが定められ、あるいは適切に規定される。
【０１２８】
この関数の一次導関数は、
【数８０】
0005749180.tif 000081
である。
【０１２９】
遠見部におけるベース目標等非点収差線は、第１の予め決定されあるいは予め決定可能な制御点
【数８１】
0005749180.tif 000082
を通過する。この点は、前述したようにシフトされる
【数８２】
0005749180.tif 000083
。上記関数のパラメータは、シフトされた制御点
【数８３】
0005749180.tif 000084
のデータから、また随意的には更なる条件を考慮に入れて、計算あるいは決定され得る。そのような更なる条件は、点（ｕ，ｙ＝ｙＦ）が枢支点または固定点を構成するという条件であってもよい。
【０１３０】
変更されたベース目標等非点収差線は、パラメータａ’ｆ、ｂ’ｆ、ｃ’ｆを伴う以下の形式の関数によって表わされる。
【数８４】
0005749180.tif 000085
【０１３１】
変更されたベース目標等非点収差線のパラメータまたは係数は、例えば以下の方程式の系を解くことにより一意的に決定される。この場合、累進帯では、ベース目標等非点収差線の経路が不変のままである。すなわち、
【数８５】
0005749180.tif 000086
【数８６】
0005749180.tif 000087
【数８７】
0005749180.tif 000088
【０１３２】
パラメータまたは係数ａ、ｂ、ｃ、ｄを伴う以下の形式の関数
【数８８】
0005749180.tif 000089
によって表わされるソフトデザインのベース目標等非点収差線に関しては、変更されたベース目標等非点収差線の経路を一意的に決定する上で、遠見部または遠見帯における通常２つの予め決定された制御点
【数８９】
0005749180.tif 000090
および
【数９０】
0005749180.tif 000091
で十分である。２つの制御点は、前述したようにシフトされる。
【数９１】
0005749180.tif 000092
【数９２】
0005749180.tif 000093
【０１３３】
変更されたベース目標等非点収差線のパラメータまたは係数ａ’、ｂ’、ｃ’、ｄ’、したがって遠見部におけるそれらの経路は、以下の方程式の系を解くことにより一意的に決定され得る。
【数９３】
0005749180.tif 000094
【数９４】
0005749180.tif 000095
【数９５】
0005749180.tif 000096
【数９６】
0005749180.tif 000097
この場合、座標ｙ＝ｙＦを有するベース目標等非点収差線上の点は、枢支点または固定点である。
【０１３４】
前述したように、変更されたベース目標等非点収差線Ｉ’Ｇを示す目標非点収差分布の生成または計算は、主線と変更されたベース目標等非点収差線Ｉ’Ｇとの間の目標非点収差値の補間を含むことができる。
【０１３５】
特に、開始デザインは、主線に沿う目標非点収差値Ａ０（ｕ＝０，ｙ）のための仕様を含むことができ、その場合、変更された目標等非点収差線を示す目標非点収差分布Ａ（ｕ，ｙ）の生成または計算は、主線上の目標非点収差値Ａ（ｕ＝０，ｙ）と、変更されたベース目標等非点収差線上の目標非点収差値との間の補間を含み、ここでＡ（ｕ＝０，ｙ）＝Ａ０（ｕ＝０，ｙ）が成り立つ。
【０１３６】
条件Ａ（ｕ＝０，ｙ）＝Ａ０（ｕ＝０，ｙ）は、開始デザインの主線に沿う目標非点収差値Ａ（ｕ＝０，ｙ）が変換されないことを意味する。変更されたベース目標等非点収差線Ｉ’Ｇ上の目標非点収差値は、ベース目標非点収差ＡＧに等しい。
【０１３７】
補間は、線形補間、四次補間（quadrangular interpolation）、または、三次補間であってもよい。より高次の補間も考えられる。
【０１３８】
以下、主線の所定の経路およびベース目標等非点収差線の所定の経路に基づく目標非点収差分布または目標非点収差値の典型的な計算または生成について詳しく説明する。
【０１３９】
前述したように、所定のベース目標等非点収差線ＩＧの経路は、一次関数ｕＧ（ｙ）によって特定され得る。無論、所定の主線ＨＬと変更されたベース目標等非点収差線Ｉ’Ｇとの間の目標非点収差分布は、後述する方法によっても計算され得る。この場合、以下の式において、変更されたベース目標等非点収差線Ｉ’Ｇの経路を表わす一次関数ｕ’Ｇ（ｙ）は、ベース目標等非点収差線ＩＧの経路を表わす一次関数ｕＧ（ｙ）に取って代わる。
【０１４０】
特に、目標非点収差値を水平断面で補間することができ、その場合、補間は、各水平断面において、主線上の所定の目標非点収差値Ａ（ｕ＝０，ｙ）＝Ａ０（ｙ）と、変更されたベース目標等非点収差線上の値ＡＧ＝ｃｏｎｓｔとの間で行なわれる。
【０１４１】
ｕに関して、補間は、直線的に、四次的に（ｑｕａｄｒａｎｇｕｌａｒｌｙ）、あるいは、以下の任意の屈折力関数により行なわれ得る。
【数９７】
0005749180.tif 000098
【０１４２】
定められた屈折力ｐの場合、係数ｂ（ｙ）が以下によって直接に決定され得る。
【数９８】
0005749180.tif 000099
この場合、前述したように、ｕＧ（ｙ）は、主線からのベース目標等非点収差線の水平距離である。
【０１４３】
その結果、補間を以下のように書き表すことができる。
【数９９】
0005749180.tif 000100
【０１４４】
屈折力ｐは、一般に可変態様で特定される。ｐが大きく選択されればされるほど、主線上の非点収差の横方向増大が滑らかになる。累進帯では、非点収差が一般にＭｉｎｋｗｉｔｚ定理にしたがって直線的に増大し、そのため、この帯域ではｐが１に選択されるのが好ましい。近見部の目標非点収差が増大するにつれて、ｐも同様に増大するのが好ましく、それにより、目標非点収差の水平増大が更に緩慢になる。このことは、近見部の拡張をもたらす。
【０１４５】
眼鏡レンズの外周（すなわち、ベース目標等非点収差線と眼鏡レンズ周縁との間）では、値Ａｍａｘを有する外側の最大目標等非点収差線を更に特定することにより、また、遠見部および近見部においてベース目標等非点収差線からの最大目標等非点収差線の距離を特定することにより、目標非点収差分布を決定することができる。
【０１４６】
特に、いわゆる平行カーブモデル法により、眼鏡レンズの外周の目標非点収差値を決定あるいは計算することができる。
【０１４７】
この方法によれば、ベース目標等非点収差線または更なる目標等非点収差線のための平行カーブが、眼鏡レンズの外周で構成される。これらの目標等非点収差線の通常の距離は、最大値Ａｍａｘと、正規曲線に沿うベース目標等非点収差線からの関連する距離とを特定することによって制御される。最大または外側目標等非点収差線の距離は、一定である必要はなく、距離関数ａ（ｙ）によって特定され得る。ａ（ｙ）の値が大きくなればなるほど、目標等非点収差線同士が互いに更に離れ、非点収差が更に滑らかに移行する。距離関数ａ（ｙ）は、遠見部の距離ａＦおよび近見部の距離ａＮが特定され、その後にｙにおいて線形補間されるよう、簡単な一次関数であってもよい。
【０１４８】
眼鏡レンズの外周における任意の点Ｐ（ｕ，ｙ）の目標非点収差値は、例えば以下のように計算することができる。
１．その正規曲線が点Ｐ（ｕ，ｙ）を通るベース目標等非点収差線上の点ＰＧ（ｕＧ，ｙＧ）を、適切な数値法によって決定する、
２．２つの点Ｐ（ｕ，ｙ）およびＰＧ（ｕＧ，ｙＧ）の距離ｄを、以下のように計算する
【数１００】
0005749180.tif 000101
、
３．ＡＧ（ｄ＝０）とＡｍａｘ（ａ（ｙＧ））との間の補間によって、関連する目標非点収差値Ａ（ｕ，ｙ）＝Ａ（ｄ，ａ（ｙＧ））を計算する。デザインに応じて、この補間は、例えば、線形補間、四次補間（ｑｕａｄｒａｎｇｕｌａｒ）、または、三次補間、または、他の適した補間であってもよい。好ましくは、補間が線形補間である。
【０１４９】
あるいは、いわゆる円錐台モデル法にしたがって、眼鏡レンズの外周の目標非点収差値を計算することができる。
【０１５０】
この方法は、遠見帯へ移行するときにベース目標等非点収差線が非常に大きく曲げられ、それにより、ベース目標等非点収差線の正規曲線が距離ａ（ｙ）内で既に交差する可能性がある場合に特に有益である。この場合、前述した方法によれば、外側目標等非点収差線をこれ以上明確に構成することができない。これは、上記方法が複数の解決策を与えるからである。目標等非点収差線は円錐台の輪郭線としてモデリングされ、円錐台のベース領域が目標等非点収差線によって画定される。円錐台の先端Ｓ（ｕＳＰ，ｙＳＰ）の位置と先端における関連する目標非点収差値ＡＳＰとを特定することにより、以下の方法にしたがって各点Ｐ（ｕ，ｙ）が一意的に目標非点収差値と関連付けられる。
１．点Ｐ、Ｓを通過する直線と円錐台の制限カーブとの交点Ｆ（ｕＦ，ｙＦ）を決定する、
２．距離を計算する：
【数１０１】
0005749180.tif 000102
【数１０２】
0005749180.tif 000103
、
３．目標非点収差値Ａ（ｕ，ｙ）を計算する：
【数１０３】
0005749180.tif 000104
【数１０４】
0005749180.tif 000105
。
【０１５１】
特に、遠見部においては、更なる第２の目標等非点収差線（例えばＩｚ＝０，２５またはＡＺ＝０．２５Ｄ）によって、目標非点収差値の計算を（例えば前述した補間によって）更に細かく制御できる。したがって、開始デザインは、遠見部および／または近見部または遠見帯および／または近見帯における更なる目標等非点収差線の経路のための仕様を備えることができる。ベース目標等非点収差線との類推によって、更なる第２の目標等非点収差線を特定および計算あるいは変更することができる。
【０１５２】
特に、補間は、最初は、主線と第２の更なる目標等非点収差線との間で行なわれ、その後、第２の更なる目標等非点収差線とベース目標等非点収差線との間で行なわれる。この場合、目標非点収差値の計算は、主線上の目標非点収差値と変更された更なる目標等非点収差線上の目標非点収差値との間の第１の補間と、変更された更なる目標等非点収差線上の目標非点収差値と変更されたベース目標等非点収差線上の目標非点収差値との間の第２の補間と、を含むことができる。この場合、第１および第２の補間はそれぞれ、主線上の目標非点収差値と変更されたベース目標等非点収差線上の目標非点収差値との間の前述した補間に関する類推によって行なわれる。
【０１５３】
好ましくは、プログレッシブ眼鏡レンズデザインを計算しあるいは計算するための方法は、眼鏡着用者の個人パラメータを得るステップを含むことができる。
【０１５４】
先に説明したように、デザインまたは眼鏡着用者に固有のデータあるいはフレームワーク状態は、それらに基づいて少なくとも１つの制御点がシフトされるが、このようなデザインまたは眼鏡着用者に固有のデータあるいはフレームワーク状態は、既に決定されたデータまたはパラメータ、例えば、遠見帯、近見帯、および／または、累進帯のサイズおよび／または位置に関する平均的なニーズおよび／または選好、眼鏡着用者の眼の平均的な生理的パラメータ、眼鏡レンズの着用位置の平均的なパラメータ、平均的なフレームおよび／または心取りデータなどに関連することができる。例えば、これらのパラメータは、メモリ、記憶媒体、データベース等に記憶させることができるとともに、そこから読み出すことができる。
【０１５５】
デザインまたは眼鏡着用者に固有の仕様またはフレームワーク状態は、それらに基づいて少なくとも１つの制御点がシフトされるが、このようなデザインまたは眼鏡着用者に固有のデータあるいはフレームワーク状態はまた、特定の眼鏡着用者または特定の顧客の個々のパラメータおよび／または個々のデザイン仕様（例えば、選好、使用の焦点、重み付け遠見帯および／または近見帯）を備えることもできる。
【０１５６】
眼鏡着用者の個々のデータおよび／または個々のデザイン仕様は、例えばＲｏｄｅｎｓｔｏｃｋ  ＧｍｂＨ社による「Ｃｏｎｓｕｌｔｉｎｇ  ＦｒｅｅＳｉｇｎ」などのコンサルティングツールを用いてかなり詳細に得ることができる。顧客は、想定し得る個々のデザイン提案またはデザイン実現を直接に実演されることが好ましい。今までのところ、対応するフレキシブルレンズデザインにおける視覚帯に関する個々の顧客ニーズの実現は、十分に解決されてこなかった。通常、Ｒｏｄｅｎｓｔｏｃｋ  ＧｍｂＨ社による「Ｉｍｐｒｅｓｓｉｏｎ  Ｓｐｏｒｔ  ｅｘｔｒａｃｕｒｖｅｄ」などの特別なデザインを使用しなければならなかった。しかしながら、これらの特別なデザインは、全ての近見距離およびベースカーブを網羅しなかった。本発明を用いると、目標仕様を目標にされた方法で変更することにより個々の視覚帯を強調できる。例えば、近見帯の横方向の拡張を行なうことができ、これは、−顧客の要求プロファイル（高い重み付けダイナミクスまたは遠見部）に応じて−遠見帯および／または近見帯における目標等非点収差線の勾配の増大または遠見帯の減少と組み合わされてもよい。
【０１５７】
プログレッシブ眼鏡レンズを製造あるいは計算するための前述した方法は、所定の開始デザインの変換によってプログレッシブ眼鏡レンズを製造あるいは計算するための他の方法と組み合わせることができる。
【０１５８】
例えば、開始デザインの変換は、遠見および／または近見基準点の可変調整可能な（個々の）垂直位置に応じて、例えば補間によって計算される目標非点収差値Ａ（ｕ，ｙ）の変換（例えば、垂直方向の伸長または圧縮）を更に含むことができる。変換は、計算されるべき眼鏡レンズデザインが遠見および／または近見基準点の必要とされる垂直位置を示すように行なわれる。そのような変換は、特許出願ＷＯ２００８／０８９９９６に記載されている。ここでは、眼鏡レンズデザインは、遠見および／または近見部屈折力に関する眼鏡着用者のための処方値または眼鏡着用者のために必要とされる値（例えば屈折能測定によって決定される）がそれぞれの基準点で実現されるときの、遠見および／または近見基準点の所定の空間位置を示す。つまり、デザインと関連付けられる収差（特に、非点収差偏差および屈折誤差）が、遠見および／または近見基準点で可能な限り小さくなる（好ましくは、ほぼゼロ）ようになっている。
【０１５９】
あるいは、遠見および／または近見基準点の個別に決定される垂直位置に応じて、スケーリングファクタｓ（ｕ，ｙ）が乗じられる目標非点収差値Ａ（ｕ，ｙ）を変換することができる。
【０１６０】
更に好ましくは、開始デザインの変換は、関数ｈ＝ｈ（Ｓ’（ｙ’），ｌＤ／ｌ）を用いて、あるいは関数ｈ＝ｈ（ｌＤ／ｌ）を用いて、目標非点収差値にスケーリングファクタｌ／ｌＤを乗じることを更に含むことができる。この場合、ｌは、個々の眼鏡レンズデザインの累進長を示し、ｌＤは、開始デザインの累進長を示す。好ましくは、ｈ（ｌＤ／ｌ）＝ａ・（ｌＤ／ｌ）＋ｂであり、ａ、ｂは一定である。
【０１６１】
したがって、また、開始デザインのデザイン特性を維持しつつ、遠見および近見のための基準点（遠見基準点および近見基準点）の任意の位置と、主視覚帯と、を有するプログレッシブレンズデザインが導出され最適化され得る。このため、遠見ＢＦおよび近見ＢＮのための基準点の望ましい個々の位置を単に定めれば十分である。累進面の累進帯の垂直位置および長さは、個々のユーザ状況に自動的に適合される。ここで、最適化において、遠見ＢＦおよび近見ＢＮのための基準点の任意の位置を考慮に入れることができる。
【０１６２】
同様に、開始デザインは、眼鏡レンズの主線に沿う物体距離関数のための仕様を更に含むことができる。個々のデザインを計算するための方法は、開始デザインの物体距離関数の適切な変換を更に含むことが好ましい。物体距離関数の変換の変換係数は、個々の眼鏡レンズデザインの遠見および／または近見基準点における眼鏡レンズの屈折力が開始デザインの遠見および／または近見基準点における眼鏡レンズの屈折力に対応するよう、ニュートン反復によって決定される。物体距離関数の適切な変換は、前述した特許出願ＷＯ２００８／０８９９９６に記載されている。
【０１６３】
また、開始デザインの変換は、目標非点収差値（補間によって決定される開始目標非点収差値または目標非点収差値）とスケーリングファクタＳＡｄｄとの乗算を更に含むことができる。この場合、
【数１０５】
0005749180.tif 000106
となっている。
ここで、ｔＡｄｄは、一般に、計算されるべき眼鏡レンズまたは眼鏡レンズデザインの加入度数Ａｄｄおよび／または遠見屈折力Ｆおよび／または所定のベース加入度数ＡｄｄＢの関数ｔＡｄｄ＝ｔＡｄｄ（Ａｄｄ，Ｆ，ＡｄｄＢ）であるファクタを示し、Ａｄｄ＝ＡｄｄＢに関してｔＡｄｄ＝１が成り立つ。最も簡単なケースでは、ｔＡｄｄ＝１である。
【０１６４】
例えば、開始デザインは、ベース加入度数ＡｄｄＢのための開始目標非点収差分布を含むことができる。最初に、この開始目標非点収差分布をリスケーリングして、加入度数Ａｄｄのための目標非点収差分布を得ることができる。この場合、Ａｄｄは、計算されるべき眼鏡レンズまたは眼鏡レンズデザインの加入度である。その後、ベース目標等非点収差線の経路を前述したように変えることができ、また、ベース目標等非点収差線の新たな経路に適合される変更された目標非点収差分布を補間によって決定することができる。スケーリングファクタｓを乗じることによるベース加入度数ＡｄｄＢを伴う所定の目標非点収差分布の変換は、特許出願ＤＥ１０２００８１０５１８９．０に記載されている。
【０１６５】
同様に、異なる注文において目標非点収差値を適切に変換することができる。同じように、開始デザインの他の目標仕様（例えば、屈折誤差、倍率などにおける目標仕様）を適切に変換あるいは変えることができる。
【０１６６】
本発明に係る方法は、従来のプログレッシブ眼鏡レンズあるいは屈折力が最適化されたプログレッシブ眼鏡レンズのためのデザインまたはデザイン変形例を生成すること、および、個別に最適化されたプログレッシブ眼鏡レンズのためのデザインまたはデザイン変形例を生成することの両方に適する。
【０１６７】
プログレッシブ眼鏡レンズのためのデザインを生成あるいは計算するための本発明に係る方法を用いると、既に幾つかのパラメータを伴うバランスのとれた開始デザイン（例えば、汎用デザイン、近見デザインなど）から、任意の数のデザインを得ることができる。この場合、移行が滑らかである。好ましい実施形態において、開始デザインから得られる全てのデザインは、主線に沿う屈折力経路の同一特性を好ましく維持し、したがって更には、累進チャンネルにおける最小幅も好ましく維持する。その結果、全ての屈折力範囲にわたって新たなデザインを生成する必要なく、視野サイズと勾配経路とのほぼ全ての考えられる組み合わせを後で生成することができる。本発明に係る手続きを用いると、ベースデザインまたは開始デザインを直接に変更する必要がなく、更なるパラメータに基づいて最適化の直前に目標仕様を生成するための係数を適合させるだけで済むため、それにより、適切な用途デザインを迅速に得ることができる。特に、本発明に係る方法は、データベースにより制御される計算プロセスに特に適している。本発明に係る方法を用いると、異なるデザイン変形例が迅速且つ効率的に生成され、かつ互いに対して検査され得るため、従来の、屈折力が最適化されたあるいは個々のプログレッシブ眼鏡レンズを開発して製造するための労力を著しく減らすことができる。
【０１６８】
また、眼鏡着用者の近見および／または遠見基準点の自由に規定できる位置に対する適合、したがって異なる累進長に対する適合を行なうことができる。特に、既存の最適化仕様または既存の開始デザインを、任意に伸長および圧縮することができ、したがって、個々の着用状況、特に個別に決定された累進長に適合させることができる。ここでは、異なるデザイン（例えば、異なる累進長を有する異なる開始デザイン）の目標仕様の補間が必要とされない。したがって、既存の開始デザインから、異なる（更に長いあるいは更に短い）累進帯または累進長を有する変形を更に迅速且つ効率的に生成することができる。
【０１６９】
また、物体距離関数の更なる自動的な適合、したがって、目標屈折力経路の自動適合を行なうこともできる。
【０１７０】
計算された眼鏡レンズデザインは、物体側または好ましくは眼側のプログレッシブ面を有するプログレッシブ眼鏡レンズのための眼鏡レンズデザインであってもよい。反対側の面は、単純な球面または回転対称な非球面になり得ることが好ましい。また、前述した方法を使用して、二重プログレッシブ眼鏡レンズのための眼鏡レンズデザインを計算あるいは生成することもできる。
【０１７１】
更に、本発明の更なる態様によれば、所定の開始デザインの変換によってプログレッシブ眼鏡レンズデザインを生成あるいは計算するための好ましい方法を実行するよう適合されたデザイン計算手段またはデザイン変換手段を備える、プログレッシブ眼鏡レンズデザインまたはプログレッシブ眼鏡レンズのためのデザインを生成あるいは計算するための装置が提供される。
【０１７２】
開始デザインは、
−  主線ＨＬの経路のための仕様と、
−  一定のベース目標非点収差ＡＧ＝ｃｏｎｓｔによる少なくとも１つのベース目標等非点収差線ＩＧの仕様であって、ベース目標等非点収差線ＩＧが少なくとも第１の所定の制御点
【数１０６】
0005749180.tif 000107
を通る、仕様と、
を備える。
【０１７３】
特に、デザイン計算手段またはデザイン変換手段は、
−  予め決定されあるいは予め決定可能なカーブに沿って第１の制御点
【数１０７】
0005749180.tif 000108
の位置のシフト
【数１０８】
0005749180.tif 000109
を行なうよう適合された制御点変化手段であって、第１の制御点
【数１０９】
0005749180.tif 000110
のシフトがデザイン固有および／または眼鏡レンズ着用者固有のデータを考慮に入れて行なわれる、制御点変化手段と、
−  変更されたベース目標等非点収差線Ｉ’Ｇを、それがシフトされた第１の制御点
【数１１０】
0005749180.tif 000111
を通るように計算するよう適合されたベース目標等非点収差線計算手段と、
−  変更されたベース目標等非点収差線Ｉ’Ｇを示す目標非点収差分布Ａ（ｕ，ｙ）の生成または計算を行なうよう適合された計算手段と、
を備え、
ここで、
ｘは、水平座標を示し、
ｙは、垂直座標を示し、
ｕは、主線からの点（ｘ，ｙ）の水平距離を示し、
Ａ（ｕ，ｙ）は、変換された開始デザインの目標非点収差値を示す。
【０１７４】
また、プログレッシブ眼鏡レンズデザインを生成あるいは計算するための装置は、眼鏡着用者の個人データを得るよう適合された取得手段を備えることができる。
【０１７５】
開始デザインを永久的にあるいは一時的にメモリに記憶させることができる。特に、ベース目標等非点収差線計算手段と、目標非点収差分布を生成あるいは計算するための計算手段と、を備えることができるデザイン計算および／またはデザイン変換手段は、対応して構成されるあるいはプログラムされる従来のコンピュータ、専用ハードウェア、および／または、コンピュータネットワークまたはコンピュータシステムによって実施され得る。デザイン計算またはデザイン変換手段、および、特にベース目標等非点収差線計算手段および／または目標非点収差分布を生成あるいは計算するための計算手段は、適切なインタフェースによってメモリと信号通信することができ、特にメモリ内に記憶されたデータを読み出しおよび／または変更することができる。制御点変化手段は、ユーザが制御点の位置を変えることができるようにするインタラクティブグラフィカルユーザインタフェース（ＧＵＩ）を更に備えることができる。
【０１７６】
ベース目標等非点収差線計算手段は、適切なインタフェースによってグラフィカルユーザインタフェースと信号通信できる。ベース目標等非点収差線計算手段は、シフトされた第１の制御点
【数１１１】
0005749180.tif 000112
を通るベース目標等非点収差線Ｉ’Ｇの計算をリアルタイムで行なうことができる。
【０１７７】
本発明によれば、コンピュータプログラムプロダクト、すなわち、装置クレームのカテゴリーに記載されるコンピュータプログラム、および、コンピュータプログラムが記憶されて成る記憶媒体が提供され、コンピュータプログラムは、コンピュータにロードされて実行されるときに、プログレッシブ眼鏡レンズデザインを生成あるいは計算するための本発明に係る好ましい方法を実行するよう適合されている。
【０１７８】
本発明の更なる態様によれば、プログレッシブ眼鏡レンズを製造するための方法であって、
−  プログレッシブ眼鏡レンズデザインを生成あるいは計算するための好ましい方法にしたがってプログレッシブ眼鏡レンズのためのデザインを計算するステップと、
−  計算された眼鏡レンズデザインに基づいて眼鏡レンズを計算あるいは最適化するステップと、
を含む方法が提案される。
【０１７９】
また、製造方法は、
−  計算されたあるいは最適化された眼鏡レンズの表面データを与えるステップと、
−  与えられた眼鏡レンズの表面データにしたがって眼鏡レンズを製造するステップと、
を備えることができる。
【０１８０】
製造または生産は、数値制御されるＣＮＣにより、鋳造方法により、２つの方法の組み合わせにより、あるいは、他の適した方法にしたがって行なうことができる。
【０１８１】
眼鏡レンズの計算または最適化は、以下の目的関数を最小にすることを含むことができる。
【数１１２】
0005749180.tif 000113
ここで、
Ａｓｔｉ，ｔａｒｇｅｔは、ｉ番目の評価点における局所非点収差偏差または局所非点収差誤差の目標値であり、
Ａｓｔｉは、ｉ番目の評価点における局所非点収差偏差または局所非点収差誤差の実際の値であり、
ｇｉ，Ａｓｔは、ｉ番目の評価点における非点収差偏差または局所非点収差誤差の局所重み付けである。
【０１８２】
上記式において、Ａｓｔｉ，ｔａｒｇｅｔは、それぞれのｉ番目の評価点でプログレッシブ眼鏡レンズデザインに割り当てられる、既に決定されている目標非点収差分布である。
【０１８３】
目的関数では屈折誤差ΔＲも考慮に入れられることが更に好ましく、それにより、眼鏡レンズの計算または最適化は、以下の目的関数を最小にすることを含む。
【数１１３】
0005749180.tif 000114
ここで、
ΔＲｉ，ｔａｒｇｅｔは、ｉ番目の評価点における局所屈折誤差の目標値であり、
ΔＲｉは、ｉ番目の評価点における局所屈折誤差の実際の値であり、
ｇｉ，ΔＲは、ｉ番目の評価点における屈折誤差の局所重み付けである。
【０１８４】
局所重み付けｇｉ，Ａｓｔは、以下の式にしたがって計算され得る。
【数１１４】
0005749180.tif 000115
しかしながら、重み付けファクタＧｉ，Ａｓｔを更に有する特定の局所重み付けｇｉ，Ａｓｔをスケーリングすることもできる。
【０１８５】
目的関数における重み付けファクタｇｉ，Ａｓｔは、一般に、良好な最適化結果を得ることができるよう、基本デザインまたは開始デザインに関して定められる。例えば非点収差分布が後に変えられる場合には、それにしたがって局所重み付けｇｉ，Ａｓｔも同様に適合させることが都合良い場合がある。例えば、小さい非点収差誤差（小さいＡｓｔｔａｒｇｅｔ）が定められる帯域での視覚は、外周視覚帯よりも高い重み付けを受け入れることができる。
【０１８６】
目標非点収差Ａｓｔｔａｒｇｅｔ＜１．０の値に関しては、関数
【数１１５】
0005749180.tif 000116
が１よりも大きくなり、また、値Ａｓｔｔａｒｇｅｔ＞１．０に関しては、関数が１よりも小さくなる。屈折力ｐが大きければ大きいほど、関数が急勾配となり、より多くの帯域がＡｓｔｔａｒｇｅｔ＜１．０によって重み付けられる。好ましくは、ｐ≦１であり、例えばｐ＝０．１５である。
【０１８７】
更なる実施形態によれば、局所重み付けｇｉ，Ａｓｔに関して
Ａｓｔｉ，ｔａｒｇｅｔ≦１．０において
【数１１６】
0005749180.tif 000117
が成り立ち、Ａｓｔｉ，ｔａｒｇｅｔ＞１．０においてｇｉ，Ａｓｔ＝１が成り立つ。
【０１８８】
屈折誤差の大きさに応じて、ｉ番目の評価点における屈折誤差の局所重み付けｇｉ，ΔＲを同様の方法でスケーリングすることができる。
【０１８９】
眼鏡レンズを最適化するために目的関数において考慮に入れられる局所重み付けの前述した適合は、無論、所望値または目標値（目標非点収差値および／または目標屈折値）が決定される方法にかかわりなく適用され得る。したがって、本発明の１つの態様は、眼鏡レンズを計算あるいは最適化するための方法であって、
−  目標非点収差分布Ａｓｔｉ，ｔａｒｇｅｔを特定するステップと、
−  以下の形式の目的関数を最小にすることにより眼鏡レンズを計算あるいは最適化するステップと、
【数１１７】
0005749180.tif 000118
と、
を含み、
Ａｓｔｉ，ｔａｒｇｅｔは、ｉ番目の評価点における局所非点収差偏差または局所非点収差誤差の目標値であり、
Ａｓｔｉは、ｉ番目の評価点における局所非点収差偏差または局所非点収差誤差の実際の値であり、
ｇｉ，Ａｓｔは、ｉ番目の評価点における非点収差偏差または局所非点収差誤差の局所重み付けであり、
局所重み付けｇｉ，Ａｓｔに関して以下が成り立ち、
【数１１８】
0005749180.tif 000119
ｐが、好ましくは１以下の予め決定されあるいは予め決定可能な定数である、
方法に関する。
【０１９０】
また、本発明の１つの態様は、眼鏡レンズを計算して最適化するための方法を実行するための対応するコンピュータプログラムプロダクトおよび対応する装置に関する。
本発明の更なる態様によれば、プログレッシブ眼鏡レンズを製造するための装置であって、
−  開始デザインの変換によってプログレッシブ眼鏡レンズデザインを生成あるいは計算するための好ましい方法にしたがってプログレッシブ眼鏡レンズのためのデザインを計算あるいは生成するよう適合されたデザイン計算またはデザイン変換手段と、
−  計算されたデザインに基づいて眼鏡レンズの計算または最適化を実行するよう適合された最適化または計算手段と、
を備える装置が提案される。
【０１９１】
開始デザインは、
−  主線ＨＬの経路のための仕様と、
−  一定のベース目標非点収差ＡＧ＝ｃｏｎｓｔによる少なくとも１つのベース目標等非点収差線ＩＧの仕様であって、ベース目標等非点収差線ＩＧが少なくとも第１の所定の制御点
【数１１９】
0005749180.tif 000120
を通る、仕様と、
を備える。
【０１９２】
特に、デザイン計算またはデザイン変換手段は、
−  予め決定されあるいは予め決定可能なカーブに沿って第１の制御点
【数１２０】
0005749180.tif 000121
の位置のシフト
【数１２１】
0005749180.tif 000122
を行なうよう適合された制御点変化手段であって、第１の制御点
【数１２２】
0005749180.tif 000123
のシフトが、デザイン固有および／または眼鏡レンズ着用者固有のデータを考慮に入れて行なわれる、制御点変化手段と、
−  変更されたベース目標等非点収差線Ｉ’Ｇを、それがシフトされた第１の制御点
【数１２３】
0005749180.tif 000124
を通るように計算するよう適合されたベース目標等非点収差線計算手段と、
−  変更されたベース目標等非点収差線Ｉ’Ｇを示す目標非点収差分布Ａ（ｕ，ｙ）の生成または計算を行なうよう適合された計算手段と、
を備え、
ここで、
ｘは、水平座標を示し、
ｙは、垂直座標を示し、
ｕは、主線からの点（ｘ，ｙ）の水平距離を示し、
Ａ（ｕ，ｙ）は、変換された開始デザインの目標非点収差分布を示す。
【０１９３】
最適化または計算手段−および、デザイン計算またはデザイン変換手段−は、適切に構成されたあるいはプログラムされたコンピュータ、専用のハードウェアおよび／またはコンピュータネットワークまたはコンピュータシステム等によって実施され得る。同じコンピュータまたは同じコンピュータシステムを、例えば眼鏡レンズのためのデザインの計算および計算されたデザインに基づく眼鏡レンズの計算または最適化の両方を行なうように構成あるいはプログラムすることができる。しかしながら、デザインの計算および眼鏡レンズの計算を、計算されたデザインに基づき、別個の計算ユニットで、例えば別個のコンピュータまたはコンピュータシステムで行なうこともできる。
【０１９４】
また、プログレッシブ眼鏡レンズを製造するための装置は、眼鏡レンズを仕上げるための機械加工手段を備えることが好ましい。機械加工手段は、決定された最適化仕様にしたがってブランクを直接に機械加工するための例えばＣＮＣ制御機を備えることができる。仕上げられた眼鏡レンズは、簡単な球面または回転対称な非球面と、本発明にしたがって計算された個々のデザイン仕様および眼鏡着用者の個々のパラメータに基づいて最適化されるプログレッシブ面とを有することが好ましい。球面または回転対称な非球面は、眼鏡レンズの前面（すなわち、物体側面）であることが好ましい。無論、計算されたデザインに基づいて最適化された表面を、眼鏡レンズの前面として設けることもできる。また、眼鏡レンズの両方の面をプログレッシブ面にすることもできる。
【０１９５】
また、プログレッシブ眼鏡レンズを製造するための装置は、眼鏡着用者の個人データを得るための取得手段を更に備えることもできる。特に、取得手段はグラフィカルユーザインタフェースを備えることができる。
【０１９６】
本発明によれば、コンピュータプログラムプロダクト、すなわち、装置クレームのカテゴリーに記載されるコンピュータプログラム、および、コンピュータプログラムが記憶されて成る記憶媒体が更に提供され、コンピュータプログラムは、コンピュータにロードされて実行されるときに、プログレッシブ眼鏡レンズを計算あるいは最適化するための方法を実行するよう適合されており、該方法は、以下のステップ、すなわち、
−  プログレッシブ眼鏡レンズデザインを生成あるいは計算するための好ましい方法にしたがってプログレッシブ眼鏡レンズのためのデザインを計算するステップと、
−  計算された個々のデザインに基づいてプログレッシブ眼鏡レンズを計算あるいは最適化するステップと、
を含む。
【０１９７】
本発明の更なる態様は、眼鏡着用者の視覚障害を補正するための、特定の眼鏡着用者の眼の前方の眼鏡レンズの眼鏡着用者の所定の平均着用位置または個々の着用位置での、好ましい製造方法にしたがって製造されるプログレッシブ眼鏡レンズの使用に関する。
【０１９８】
以下、図面を参照して、本発明の好ましい実施形態を一例として説明する。
【図面の簡単な説明】
【０１９９】
【図１】遠見部または遠見帯におけるベース目標等非点収差線の逆正接表示を伴うデザインの例である。
【図２】遠見部または遠見帯におけるベース目標等非点収差線の多項式表示を伴うデザインの例である。
【図３】ベース目標等非点収差線の変換の例である。
【図４】スケーリングファクタを乗じることによる目標非点収差値のスケーリングの例であり、図４ａは、当初の目標非点収差分布であり、図４ｂは、スケーリングされた目標非点収差分布である。
【図５】スケーリングファクタを乗じることによる目標非点収差値のスケーリングの更なる例であり、図５ａは、当初の目標非点収差分布であり、図５ｂは、スケーリングされた目標非点収差分布である。
【図６ａ】幅広い遠見部を有する眼鏡レンズのためのデザインのケースでのｕ２＝２５ｍｍのときの垂直断面における二重漸近線ｆ２（ｙ）である。
【図６ｂ】幅広い近見部を有する眼鏡レンズのためのデザインのケースでのｕ２＝２５ｍｍのときの垂直断面における二重漸近線ｆ２（ｙ）である。
【図７ａ】広げられた遠見帯における異なる水平断面（すなわち、ｙ＝ｃｏｎｓｔ）でのスケーリングファクタｓ（ｕ，ｙ）の例である。
【図７ｂ】ｕ２＝２５ｍｍに関する垂直断面における図７ａに示されるスケーリングファクタの二重漸近線ｆ２（ｙ）の経路である。
【図７ｃ】図７ａに示されるスケーリングファクタｓ（ｕ，ｙ）の三次元表示である。
【図８ａ】広げられた近見帯における異なる水平断面（すなわち、ｙ＝ｃｏｎｓｔ）でのスケーリングファクタｓ（ｕ，ｙ）の例である。
【図８ｂ】ｕ２＝２５ｍｍに関する垂直断面における図８ａに示されるスケーリングファクタの二重漸近線ｆ２（ｙ）の経路である。
【図８ｃ】図８ａに示されるスケーリングファクタｓ（ｕ，ｙ）の三次元表示である。
【図９】開始デザインを変えるためのグラフィカルユーザインタフェースの例である。
【図１０】支持点の局所重み付けの適合の例である。
【図１１】局所重み付けを入力して変えるためのグラフィカルユーザインタフェースの例である。
【図１２ａ】第１の得られたデザインおよび対応するプログレッシブ眼鏡レンズの例であり、  図１２ａ−１は、目標非点収差分布であり、  図１２ａ−２は、主線に沿う屈折力経路であり、  図１２ａ−３は、図１２ａ−１に示される目標非点収差分布に基づいて計算されあるいは最適化されるプログレッシブ眼鏡レンズの実際の（着用位置の）非点収差分布である。
【図１２ｂ】第１の得られたデザインおよび対応するプログレッシブ眼鏡レンズの例であり、  図１２ｂ−１は、目標非点収差分布であり、  図１２ｂ−２は、主線に沿う屈折力経路であり、  図１２ｂ−３は、図１２ｂ−１に示される目標非点収差分布に基づいて計算されあるいは最適化されるプログレッシブ眼鏡レンズの実際の（着用位置の）非点収差分布である。
【図１３ａ】Ｍｉｎｋｗｉｔｚ定理にしたがって、実際の物体距離経路および調節モデルに基づいて、および２つのモデルの組み合わせに基づいて計算されるベース目標等非点収差線の例である。
【図１３ｂ】２つのモデルの重み付けの例である。
【図１４】図１４ａ、ｂは、ベース目標等非点収差線のパラメータを入力するためのグラフィカルユーザインタフェースの例である。
【図１５】眼鏡レンズの外周における目標非点収差値の計算の例である。
【図１６ａ】開始デザインの入力パラメータを用いて制御点を入力して変えるためのグラフィカルユーザインタフェースの例である。
【図１６ｂ】開始デザインの制御点の最大変化を入力して変えるためのグラフィカルユーザインタフェースの例である。
【図１７ａ】開始デザインの構成線および制御点である。
【図１７ｂ】図１７ａに示される開始デザインの目標非点収差分布である。
【図１７ｃ】図１７ｂに示される目標非点収差分布にしたがって最適化される眼鏡レンズの実際の（着用位置の）非点収差分布である。
【図１８】第１の変換されたデザインの入力パラメータを用いて制御点を入力して変えるためのグラフィカルユーザインタフェースの例である。
【図１９ａ】第１の変換されたデザインの構成線および制御点である。
【図１９ｂ】図１９ａに示される変換されたデザインの目標非点収差分布である。
【図１９ｃ】図１９ｂに示される目標非点収差分布にしたがって最適化される眼鏡レンズの実際の（着用位置の）非点収差分布である。
【図２０】第２の変換されたデザインの入力パラメータを用いて制御点を入力して変えるためのグラフィカルユーザインタフェースの例である。
【図２１ａ】第２の変換されたデザインの構成線および制御点である。
【図２１ｂ】図２１ａに示される変換されたデザインの目標非点収差分布である。
【図２１ｃ】図２１ｂに示される目標非点収差分布にしたがって最適化される眼鏡レンズの実際の（着用位置の）非点収差分布である。
【図２２】第３の変換されたデザインの入力パラメータを用いて制御点を入力して変えるためのグラフィカルユーザインタフェースの例である。
【図２３ａ】第３の変換されたデザインの構成線および制御点である。
【図２３ｂ】図２３ａに示される変換されたデザインの目標非点収差分布である。
【図２３ｃ】図２３ｂに示される目標非点収差分布にしたがって最適化される眼鏡レンズの実際の（着用位置の）非点収差分布である。
【図２４】第４の変換されたデザインの入力パラメータを用いて制御点を入力して変えるためのグラフィカルユーザインタフェースの例である。
【図２５ａ】第４の変換されたデザインの構成線および制御点である。
【図２５ｂ】図２５ａに示される変換されたデザインの目標非点収差分布である。
【図２５ｃ】図２５ｂに示される目標非点収差分布にしたがって最適化される眼鏡レンズの実際の（着用位置の）非点収差分布である。
【図２６】顧客選好を得るためのグラフィカルユーザインタフェースの例である。
【図２７】典型的な処理流れである。
【図２８】プログレッシブ眼鏡レンズデザインまたはプログレッシブ眼鏡レンズのためのデザインを生成あるいは計算するため、および計算されたデザインに基づいて眼鏡レンズを随意的に計算しあるいは最適化するための装置の一例の概略表示である。
【発明を実施するための形態】
【０２００】
座標系｛ｘ，ｙ｝は、先に規定されるように前面のデカルト座標系に関連する。座標中心は、眼鏡レンズの幾何学中心と一致する。座標系｛ｕ，ｙ｝は、先に規定されるように座標系｛ｕ，ｙ｝に関連する。座標中心は、眼鏡レンズの幾何学中心と一致する。
【０２０１】
以下の図では、参照符号１０が主線を示し、参照符号１２が鼻のベース目標等非点収差線を示し、参照符号１４が鼻の更なる目標等非点収差線を示し、参照符号１６、１８が遠見帯における鼻のベース目標等非点収差線の第１（参照符号１６）および第２（参照符号１８）の制御点に対応し、参照符号２０、２２が遠見帯における鼻の更なる目標等非点収差線の第１および第２の制御点に対応し、参照符号２４が近見帯におけるベース目標等非点収差線の第１の制御点に対応する。制御点を、矢印として示される直線２６（制御点１６）、２８（制御点１８）、３０（制御点２０）、３２（制御点２２）、および、３４（制御点２４）に沿って移動させることができ、あるいはシフトさせることができる。プライム記号を備える参照符号は、側頭側の同一要素に関連しており、この場合、側頭のベース目標等非点収差線１２’の構成は、鼻のベース目標等非点収差線１２の構成とほぼ同一であり、また、側頭の更なる目標等非点収差線１４’の構成は、鼻の更なる目標等非点収差線１４の構成とほぼ同一である。
【０２０２】
示される全ての図において、ベース目標等非点収差線１２または１２’に沿う一定の大きさの非点収差は、０．５Ｄに等しい。更なる目標等非点収差線１４または１４’に沿う一定の大きさの非点収差は、０．２５Ｄに等しい。符号ＢＦ、ＢＮ、ＢＺは、眼鏡レンズデザインの遠見点、近見点、および、心取り点をそれぞれ表わす。
【０２０３】
別に他の点が述べられていなければ、図示される目標非点収差の全ての分布は、眼鏡レンズの着用位置における、すなわち、眼鏡レンズ／眼の系を考慮に入れた、目標非点収差の分布に関連する。
【０２０４】
図１は、構成線主線、ベース目標等非点収差線、および、更なる目標非点収差線−と、「ソフト」開始デザインの制御点とを示している。
【０２０５】
図２ａは、構成線主線１０、ベース目標等非点収差線１２、および、遠見帯１４における更なる目標等非点収差線−と、「ハード」開始デザインの制御点とを示している。図２ｂは主線に沿う屈折力経路を示している。図２において、Ｄを単位とする屈折力が横座標上にプロットされ、また、ｙ座標（ｍｍ）が縦座標上にプロットされる。
【０２０６】
図１に示される「ソフト」開始デザインの遠見部において、ベース目標等非点収差線１２（側頭および鼻の両方）の経路は、パラメータａ、ｂ、ｃ、ｄを伴う関数
【数１２４】
0005749180.tif 000125
（遠見部の逆正接表示）によって定められる。
【０２０７】
図２に示される「ハード」開始デザインの遠見部において、ベース目標等非点収差線１２（側頭および鼻の両方）の経路は、パラメータａｆ、ｂｆ、ｃｆを伴う関数
【数１２５】
0005749180.tif 000126
（遠見部の多項式表示）によって定められる。
【０２０８】
図１に示される開始デザインおよび図２に示される開始デザインの両方の近見部において、ベース目標等非点収差線１２（側頭および鼻の両方）の経路は、パラメータａｎ、ｂｎ、ｃｎ、ｄｎを伴う関数
【数１２６】
0005749180.tif 000127
によって定められる。
【０２０９】
「ソフト」および「ハード」開始デザインの制御点は、矢印として示される対応する直線２６、２８、３０、３２、３４に沿って内側へ（すなわち、主線へ向けて）あるいは外側へ（すなわち、外周へ向けて）移動あるいはシフトされ得る。前述したように、ベース目標等非点収差線１２および随意的に更なる目標等非点収差線１４の経路は、それらがシフトされた制御点を通過するように変えられる。１つの実施形態によれば、鉛直座標ｙＦと鉛直座標ｙＮとの間（すなわち、累進帯）において、鼻および側頭のベース目標等非点収差線１２および１２’の変化はない。累進帯において、主線上の屈折力増大は、ベース目標等非点収差線の経路を決定する。
【０２１０】
制御点１６〜２４の位置決めは、デザインおよび／または眼鏡レンズ着用者固有データに基づいて自動的に行なわれ得る。
【０２１１】
図３は、ベース目標等非点収差線１２の制御点の位置の変化を詳細に示している。ベース目標等非点収差線１２は、遠見部における２つの制御点Ｐ１、Ｐ２と、近見部における制御点ＰＮとを通過する。制御点Ｐ１、Ｐ２、ＰＮは、矢印として示される直線に沿って内側へ（Ｐ１、Ｐ２、ＰＮ→Ｐ１ｉ、Ｐ２ｉ、ＰＮｉ）あるいは外側へ（Ｐ１、Ｐ２、ＰＮ→Ｐ１ａ、Ｐ２ａ、ＰＮａ）シフトされ得る。それぞれの制御点の変換を以下のように表わすことができる。
【数１２７】
0005749180.tif 000128
ここで、
【数１２８】
0005749180.tif 000129
は当初の制御点を示し、
【数１２９】
0005749180.tif 000130
はシフトされた制御点を示す。
【０２１２】
制御点は所定の限界内でシフトさせることができ、その場合、制御点の最も内側の位置に関して
【数１３０】
0005749180.tif 000131
が成り立つとともに、制御点の最も外側の位置に関して
【数１３１】
0005749180.tif 000132
が成り立つ。ここで、ｔａは、制御点の最大限に許容できる外側へのシフトを示し、ｔｉは制御点の最大の内側へのシフトを示す。最も内側の制御点を通る変更されたベース目標等非点収差線は、内側境界線１２−ｉと称される。最も外側の制御点を通る変更されたベース目標等非点収差線は外側境界線１２−ｇと称される。
【０２１３】
直線パラメータ「ｔ」と関連付けられるファクタ「ｍ」（ｔ＝ｍｔｉ，ａ）は、例えば、それぞれの視覚帯ｇＦ，Ｎの重み付け（ｇＦ−遠見帯の重み付け、ｇＮ−近見帯の重み付け）に基づいて決定され得る。例えば、ファクタｍが、式
【数１３２】
0005749180.tif 000133
にしたがって計算され得る。ここで、０≦ｇＦ，Ｎ≦１００に関しては、−１≦ｍ≦１が成り立つ。０＜ｇＦ，Ｎ＜５０に関しては、−１＜ｍ＜０が成り立ち、それぞれの視覚帯が減少する。５０＜ｇＦ，Ｎ＜１００に関しては、０＜ｍ＜１が成り立ち、それぞれの視覚帯が広げられる。ｇＦ，Ｎ＝０に関しては、それぞれの視覚帯が変えられず、あるいは、それぞれの開始デザインが変えられない。
【０２１４】
ベース目標等非点収差線のそれぞれの制御点Ｐ１、Ｐ２、ＰＮの位置の内側境界（Ｐ１ｉ、Ｐ２ｉ、ＰＮｉ）および外側境界（Ｐ１ａ、Ｐ２ａ、ＰＮａ）を、予め決定することができあるいは前もって定めることができる。このとき、直線パラメータｔＧおよび方向ベクトルｖを以下のように決定することができる。
【数１３３】
0005749180.tif 000134
【数１３４】
0005749180.tif 000135
この場合、制御点の位置に関して、
【数１３５】
0005749180.tif 000136
が成り立つ。
【０２１５】
内側および外側境界点またはそれらの位置を開始デザインに予め記憶させることができる。
【０２１６】
重み付けｇＦ，Ｎ≠５０％は、視覚帯サイズを変化させ、したがって、収差が高次とされ得る、および高次となることが許容されるプログレッシブ眼鏡レンズデザインの外周帯のサイズも変化させる。開始デザインの伸長または圧縮などの他の変形も、デザインの外周帯のサイズを変化し得る。そのような場合、最大限に許容できる非点収差Ａｍａｘの更なる適合を行なうことができる。例えば、遠見部が圧迫あるいは圧縮される場合、および／または近見部が広げられる場合には、最大限に許容できる非点収差Ａｍａｘが増大され、逆もまた同様である（非点収差のサンドボックスモデル）。例えば、これは、簡単であるが実用的な以下の関数による、最大限に許容できる非点収差Ａｍａｘの乗算によって行なうことができる。
【数１３６】
0005749180.tif 000137
この場合、
【数１３７】
0005749180.tif 000138
は、スケーリングファクタであり、
ｇＦ（０≦ｇＦ≦１００）は、遠見帯の重み付け（％）であり、
ｇＮ（０≦ｇＮ≦１００）は、近見帯の重み付け（％）であり、
ＰＡｓｔ  ｍａｘ（０≦ＰＡｓｔ  ｍａｘ≦５０）は、最大限に許容できる適合（％）である。
【０２１７】
例えば、ＰＡｓｔ  ｍａｘ＝３０％およびｇＦ，Ｎ＝１００％である場合には、視覚帯の減少に関して（例えばソフトデザインに関して）、以下のようにファクタｎを計算することができる。
【数１３８】
0005749180.tif 000139
【０２１８】
しかしながら、視覚帯の増大に関しては（例えばハードデザインに関しては）、以下が成り立つ。
【数１３９】
0005749180.tif 000140
【０２１９】
図４ａおよび図４ｂは、改良された方法でダイナミクスファクタを考慮に入れるために、スケーリングファクタｓ（ｕ，ｙ）を掛け合わせることによる目標非点収差値のスケーリングの一例を示している。図５ａおよび図５ｂは、スケーリングファクタｓ（ｕ，ｙ）を掛け合わせることによる目標非点収差値のスケーリングの更なる例を示している。
【０２２０】
図４ａおよび図５ａは、それぞれ当初の（すなわち、ダイナミクスファクタを考慮に入れない、あるいはｇＤ＝０のときの）目標非点収差分布Ａｓｔｔａｒｇｅｔ（ｕ，ｙ）を示しており、また、図４ｂおよび図５ｂはそれぞれ、スケーリングされた目標非点収差分布を、同一の目標非点収差の等値線として示している。等値線間の距離は０．２５Ｄである。図４ａ、ｂおよび図５ａ、ｂに示される目標非点収差分布における遠見部ｇＦの重み付けは１００％である。
【０２２１】
目標非点収差値のスケーリングにおいては、以下が成り立つ。
【数１４０】
0005749180.tif 000141
【０２２２】
典型的な関数ｓ（ｕ，ｙ）を、以下のように規定することができる。
【数１４１】
0005749180.tif 000142
【０２２３】
例えば関数ｆ２（ｙ）は、以下のように係数ａ、ｂ、ｃ、ｄ、ｍを伴う二重漸近線関数となり得る。
【数１４２】
0005749180.tif 000143
【０２２４】
例えば係数ａは、以下のように決定され得る。
【数１４３】
0005749180.tif 000144
【０２２５】
眼鏡レンズのそれぞれの水平断面ｙ＝ｃｏｎｓｔにおいて、目標非点収差値には、関数値１を有する所定の内側ｕ座標（座標ｕ１）から外側へ向けて、各レンズ半体（鼻、側頭）に対して、直線的に変化するファクタが乗じられる。
【０２２６】
外側直線点（ｕ２，ｆ２（ｙ））を、水平断面において様々に特定することができる。すなわち、外側直線点（ｕ２，ｆ２（ｙ））は座標ｙの関数である。
【０２２７】
図４ｂに示される目標非点収差分布は、以下のパラメータ、すなわち、ｕ１＝１ｍｍ、ｕ２＝２５ｍｍ、ａ＝−０．５、ｂ＝１．０、ｃ＝−０．３３、ｄ＝５、ｍ＝１、ａｍａｘ＝−０．５、ｇＤ＝１００％によって生成された。図５ｂに示される目標非点収差分布は、以下のパラメータ、すなわち、ｕ１＝１ｍｍ、ｕ２＝３０ｍｍ、ａ＝−０．５、ｂ＝１．０、ｃ＝−０．５、ｄ＝１０、ｍ＝１、ａｍａｘ＝−０．５、ｇＤ＝１００％によって生成された。
【０２２８】
関数ｆ２（ｙ）は、ダイナミクスの重み付けｇＤに依存する。例えば、中央レンズ領域または上側レンズ領域で外周非点収差を更に減少させることは、ダイナミックスポーツレンズにとって有益である。その結果、関数ｆ２（ｙ）は、上側レンズ領域で明らかに１未満となることができ（ｆ２（ｙ）＜１）、例えば０．５に等しくなっている。近見帯では、関数ｆ２（ｙ）が再び値１を達成できる。近見帯では、ｆ２（ｙ）≒１が成り立つことが好ましい。この場合における典型的な関数ｓ（ｕ＝ｕ２，ｙ）＝ｆ２（ｙ）が図６ａに示されている。特に、図６ａは、ｕ２＝２５ｍｍのときの垂直断面における二重漸近線関数ｆ２（ｙ）（すなわち、ｕ２＝２５ｍｍにおける関数ｆ２（ｙ））を示している。
【０２２９】
望ましい更に幅広い近見帯の場合には、正反対の経路が有益である。すなわち、上側領域では、変化がないこと、すなわち、ｆ２（ｙ）≒１であることが好ましい。近見帯では、非点収差の更なる減少が存在する。すなわち、ｆ２（ｙ）＜１である。この場合における典型的な関数ｓ（ｕ＝ｕ２，ｙ）＝ｆ２（ｙ）が図６ｂに示されている。特に、図６ｂは、ｕ＝２５ｍｍのときの垂直断面における二重漸近線関数ｆ２（ｙ）（すなわち、ｕ２＝２５ｍｍにおける関数ｆ２（ｙ））を示している。
【０２３０】
したがって、遠見帯、近見帯、および／または外周における目標非点収差は、制御が簡単な関数によって目標にされた方法で、更に影響されあるいは減少され得る。
【０２３１】
図７ａ〜図７ｃおよび表１は、広げられた遠見帯におけるスケーリングファクタの一例に関連する。図７ａは、５ｍｍの距離での、ｙ＝−２５ｍｍ〜ｙ＝２５ｍｍの様々な水平断面（すなわち、ｙ＝ｃｏｎｓｔのとき）におけるスケーリングファクタｓ（ｕ，ｙ）を示している。図７ｂは、ｕ２＝２５ｍｍにおける垂直断面での、図７ａに示されるスケーリングファクタの二重漸近線関数ｆ２（ｙ）の経路を示している。二重漸近線関数の係数は、ａ＝−０．４、ｂ＝１．０、ｃ＝−０．３０、ｄ＝１０．００、ｍ＝１．００、ｕ１＝０、ｕ２＝２５、ｆ２（ｕ１＝０）＝１である。図７ｃは、図７に示されるスケーリングファクタ
【数１４４】
0005749180.tif 000145
の三次元表示を示している。表１は関数ｓ（ｕ，ｙ）の値を示している。
【表１】
0005749180.tif 000146
【０２３２】
図８ａ〜図８ｃおよび表２は、広げられた近見帯におけるスケーリングファクタの一例に関連する。図８ａは、５ｍｍの距離での、ｙ＝−２５ｍｍ〜ｙ＝２５ｍｍの様々な水平断面（すなわち、ｙ＝ｃｏｎｓｔのとき）におけるスケーリングファクタｓ（ｕ，ｙ）を示している。図８ｂは、ｕ２＝２５ｍｍにおける垂直断面での、図８ａに示されるスケーリングファクタの二重漸近線関数ｆ２（ｙ）の経路を示している。二重漸近線関数の係数は、ａ＝０．５０、ｂ＝０．５０、ｃ＝０．２０、ｄ＝０．００、ｍ＝１．００、ｕ１＝０、ｕ２＝２５、ｆ２（ｕ１＝０）＝１である。図７ｃは、図７ａに示されるスケーリングファクタｓ（ｕ，ｙ）の三次元表示を示している。表２は関数ｓ（ｕ，ｙ）の値を示している。
【表２】
0005749180.tif 000147
【０２３３】
図９は、開始デザインのパラメータを入力すること、および随意的に変えることができるようにする典型的なグラフィカルユーザインタフェース３６を示している。また、図９に示されるグラフィカルユーザインタフェースは、開始デザインを変えることを可能にする。
【０２３４】
図９のセクションまたは領域３８には、開始デザイン、または変換された開始デザインの構成線および対応する制御点が示されている。同様に、その範囲内でベース目標等非点収差線１２またはその経路を変えることができる（境界線の形態を成す）限界、すなわち、最も内側のベース目標等非点収差線１２−ｉおよび最も外側のベース目標等非点収差線１２−ａも示され得る。
【０２３５】
グラフィカルユーザインタフェース３６のセクション４０または領域は、プログレッシブ眼鏡レンズのための異なるデザインタイプの中からの選択と、加入度数の表示とを可能にする。
【０２３６】
グラフィカルユーザインタフェース３６のセクションまたは領域４２では、物体距離関数を視覚化することができる。グラフィカルユーザインタフェース３０のセクション４４は、表示し、随意的に変更するための、変換されるべき構成線の選択を可能にする。グラフィカルユーザインタフェース３６のセクション４６では、個々の重み付けｇＦ、ｇＮ、ｇＤを入力できる。グラフィカルユーザインタフェース３６のセクション４８では、境界線における（すなわち、最も内側および最も外側の０．５Ｄベース目標等非点収差線、並びに、最も内側および最も外側の追加０．２５Ｄ目標等非点収差線における）制御点の座標を指し示しあるいは表示できる。
【０２３７】
変更された目標非点収差値を伴うデザイン提案を、入力データに基づいて自動的に計算して視覚化できる。
【０２３８】
前述したように、眼鏡レンズの最適化の計算は、以下の形式の目的関数、すなわち、
【数１４５】
0005749180.tif 000148
を最小にすることにより行なわれる。
Ａｓｔｉ，ｔａｒｇｅｔは、ｉ番目の評価点における局所非点収差偏差または局所非点収差誤差の目標値であり、
Ａｓｔｉは、ｉ番目の評価点における局所非点収差偏差または局所非点収差誤差の実際の値であり、
ｇｉ，Ａｓｔは、ｉ番目の評価点における非点収差偏差または局所非点収差誤差の局所重み付けである。
【０２３９】
先の式において、Ａｓｔｉ，ｔａｒｇｅｔは、それぞれのｉ番目の評価点でプログレッシブ眼鏡レンズデザインに割り当てられる、予め決定されている目標非点収差分布である。
【０２４０】
更に好ましくは、屈折誤差ΔＲも目的関数において考慮に入れられ、それにより、眼鏡レンズを計算あるいは最適化することは、目的関数、すなわち、
【数１４６】
0005749180.tif 000149
を最小にすることを含み、
ΔＲｉ，ｔａｒｇｅｔは、ｉ番目の評価点における局所屈折誤差の目標値であり、
ΔＲｉは、ｉ番目の評価点における局所屈折誤差の実際の値であり、
ｇｉ，ΔＲは、ｉ番目の評価点における屈折誤差の局所重み付けである。
【０２４１】
目的関数における重み付けファクタｇｉ，Ａｓｔは、一般に、基本デザインまたは開始デザインにおいて特定され、それにより、良好な最適化結果を得ることができる。例えば垂直方向での伸長または圧縮によって、および／またはベース目標等非点収差線の変更によるそれぞれの視覚帯の変換によって、および／または更なる変換によって、非点収差分布が後に変えられる場合には、それに応じて局所重み付けｇｉ，Ａｓｔを適合させることが有益な場合がある。例えば、小さい非点収差誤差（小さいＡｓｔｔａｒｇｅｔ）が定められる視覚帯は、外周視覚帯よりも高い重み付けを受け入れることができる。その後、開始デザインと関連付けられるデザイン固有の局所重み付けの変化は、極端なデザイン変更においてのみ必要とされる。
【０２４２】
例えば以下のように、局所重み付けｇｉ，Ａｓｔを非点収差の実際の経路に適合させることができる。
【数１４７】
0005749180.tif 000150
【０２４３】
目標非点収差の値Ａｓｔｔａｒｇｅｔ＜１．０に関しては、関数
【数１４８】
0005749180.tif 000151
が１よりも大きくなり、値Ａｓｔｔａｒｇｅｔ＞１．０に関しては、関数が１よりも小さくなる。屈折力ｐが大きければ大きいほど、関数が急勾配となり、Ａｓｔｔａｒｇｅｔ＜１．０によって重み付けられる帯域が多くなる。
【０２４４】
更なる実施形態によれば、局所重み付けｇｉ，Ａｓｔにおいて以下が成り立つ。
Ａｓｔｔａｒｇｅｔ≦１．０に関して
【数１４９】
0005749180.tif 000152
、および、
Ａｓｔｔａｒｇｅｔ＞１．０に関してｇｉ，Ａｓｔ＝１
【０２４５】
ｉ番目の評価点における屈折誤差の局所重み付けｇｉ，ΔＲは、屈折誤差の大きさに応じて同様の方法でスケーリングできる。
【０２４６】
図１０は、屈折力ｐの異なる値（ｐ＝１、ｐ＝０．５、ｐ＝０．２、ｐ＝０．１５、ｐ＝０．１）に関して、Ｄを単位とする非点収差の関数として局所重み付けｇｉ，Ａｓｔを示している。
【０２４７】
眼鏡着用者の個人データの少なくとも一部を考慮に入れて、眼鏡レンズの計算または最適化を更に行なうことができる。
【０２４８】
図１１は、局所重み付けを入力して変更するためのグラフィカルユーザインタフェース４８の一例を示している。グラフィカルユーザインタフェース４８のセクションまたは領域５０では、局所重み付け
【数１５０】
0005749180.tif 000153
、特に屈折力ｐ、並びに、ＡｓｔｍａｘおよびＡｓｔｍｉｎにおける局所重み付けを入力することができ、および／または随意的に変更することができる。グラフィカルユーザインタフェース５０のセクション５２では、遠見部または遠見帯における更なる重み付けを定めることができる。同様に、セクション５２は、遠見帯の半値幅または分布幅を入力しおよび／または変更するための入力マスクを含むことができる。グラフィカルユーザインタフェース５０のセクション５４では、近見部または近見帯における更なる重み付けを定めることができる。更なる重み付けを用いると、最適化において、一般的な重み関数が影響され得る。同様に、セクション５４は、近見帯の半値幅または分布幅を入力しおよび／または変更するための入力マスクを含むことができる。
【０２４９】
遠見部および／または近見部における更なる重み付け、並びに、更なる重み付けにおける閾値を予め定めることができる。特に、デザイン決定において、最適化試験により閾値を規定することができる。
【０２５０】
図１２ａおよび図１２ｂは、２つの典型的な目標非点収差分布と、それぞれの目標非点収差分布にしたがって計算されあるいは最適化されるプログレッシブ眼鏡レンズの（着用位置における）実際の非点収差の対応する分布と、を示している。
【０２５１】
図１２ａ−１および図１２ｂ−１に示される目標非点収差分布はそれぞれ、主線１０およびベース目標等非点収差線１２および１２’を示している。累進帯におけるベース目標等非点収差線１２または１２’の経路は、現在の物体距離経路および調節モデルにしたがって計算される。図１２ａ−１および図１２ｂ−１に示される目標非点収差分布は、同一の開始デザインの変換によって得られ、この場合、変換は、定められた制御点の位置の変更と、物体距離の変更とを含む。したがって、ベース目標等非点収差線の経路を、最適な方法で物体距離経路に適合させることができる。
【０２５２】
図１２ａ−２および図１２ｂ−２はそれぞれ、各目標非点収差分布の主線１０に沿う屈折力経路を示している。図１２ａ−３および図１２ｂ−３はそれぞれ、図１２ａ−１および図１２ｂ−１のそれぞれに示される目標非点収差分布にしたがって計算あるいは最適化されるプログレッシブ眼鏡レンズの実際の非点収差を示している。
【０２５３】
同様に、Ｍｉｎｋｗｉｔｚ定理（要するに、Ｍｉｎｋｗｉｔｚモデル）を使用して決定される経路と、現在の物体距離経路および調節モデル（要するに、ａｓｔｉモデル）から決定される経路とを組み合わせることによって、ベース目標等非点収差線の経路を計算することができる。例えば、主線からのベース目標等非点収差線の距離ｕ０５を、以下に式にしたがって決定することができる。
【数１５１】
0005749180.tif 000154
ここで、ｕＡｓｔｉ−Ｍｏｄｅｌｌは、現在の物体距離経路および調節モデルから決定される主線からのベース目標等非点収差線の距離を示している。
ｕＭｉｎｋｗｉｔｚ−Ｍｏｄｅｌｌは、Ｍｉｎｋｗｉｔｚ定理にしたがって決定される主線からのベース目標等非点収差線の距離を示しており、また、ｇは、２つのモデルの重み付けを示している。
【０２５４】
ｇ＝１に関しては、ｕ０５＝ｕＭｉｎｋｗｉｔｚ−Ｍｏｄｅｌｌが成り立つ（Ｍｉｎｋｗｉｔｚにしたがった経路）。ｇ＝０に関しては、ｕ０５＝ｕＡｓｔｉ−Ｍｏｄｅｌｌが成り立つ（非点収差モデルにしたがって経路）。先に説明したように、ファクタｇは以下の式にしたがって計算または決定され得る。
【数１５２】
0005749180.tif 000155
【０２５５】
したがって、ファクタｇは、勾配
【数１５３】
0005749180.tif 000156
（すなわち、
【数１５４】
0005749180.tif 000157
）の関数である。
【０２５６】
図１３ａは、Ｍｉｎｋｗｉｔｚ定理（線１２−１）にしたがって、現在の物体距離経路および調節モデルに基づいて（線１２−２）、および２つのモデルの組み合わせに基づいて（線１２−３）計算されるベース目標等非点収差線の例を示している。図１３ｂは、非点収差Ａ’の増大に応じた計算ｇを示している。
【０２５７】
図１４ａおよび図１４ｂは、ベース目標等非点収差線のパラメータを入力するためのグラフィカルユーザインタフェース５６（図１４ａ）および５８（図１４ｂ）の例を示している。グラフィカルユーザインタフェース５８のセクション６０において、ユーザは、Ｍｉｎｋｗｉｔｚ定理にしたがって、あるいは以下の式によるモデルにしたがってベース目標等非点収差線が計算されるかどうかを特定することができる。
【数１５５】
0005749180.tif 000158
ここで、ｋは、予め決定されあるいは予め決定可能な更なるプリファクタを示している。
【０２５８】
ベース目標等非点収差線の経路が定められた後、このベース目標等非点収差線を示す目標非点収差分布が計算されあるいは決定される。特に、前述したように、主線とベース目標等非点収差線との間の目標非点収差値は、主線上の目標非点収差値とベース目標等非点収差線上の目標非点収差値との間の補間（例えば線形補間、四次補間（ｑｕａｄｒａｎｇｕｌａｒ  ｉｎｔｅｒｐｏｌａｔｉｏｎ）、または、三次補間（ｃｕｂｉｃ  ｉｎｔｅｒｐｏｌａｔｉｏｎ））によって計算され得る。眼鏡レンズの外周では、前述したパラレルカーブモデル法にしたがって、前述した円錐台モデル法にしたがって、あるいは、２つの方法の組み合わせにしたがって目標非点収差値を計算できる。
【０２５９】
図１５は、パラレルカーブモデル法（図１５ではＰＣモデルと称される）にしたがった、および、円錐台モデル法（図１５ではＴＣモデルと称される）にしたがった眼鏡レンズの外周での目標非点収差値の計算を示している。図１５において、眼鏡レンズの中心帯（直線６２および６４間の帯域）では、目標非点収差値を外周で計算するために円錐台モデル法が使用され、また、遠見部および近見部ではパラレルカーブモデル法が使用される。
【０２６０】
また、図１５において、
点Ｐ（ｕ，ｙ）は、眼鏡レンズまたは眼鏡レンズデザインの外周における任意の点を示し、
点Ｓ（ｕＳＰ，ｙＳＰ）は円錐台の先端を示し、
点Ｆ（ｕＦ，ｕＦ）は、点ＰおよびＳを通る直線と円錐台の限界曲線との交点を示している。
【０２６１】
更に、以下が成り立つ。
【数１５６】
0005749180.tif 000159
【数１５７】
0005749180.tif 000160
【０２６２】
図１６ａおよび図１６ｂは、開始デザインの入力パラメータを用いて制御点を入力して変えるため（図１６ａのグラフィカルユーザインタフェース６６）、および開始デザインの制御点の最大変化を入力して変えるため（図１６ｂのグラフィカルユーザインタフェース６８）のグラフィカルユーザインタフェース６６および６８の例を示している。開始デザインが、図１７ａ〜図１７ｃに示されている。図１９〜図２５は、開始デザインから導出される、変換されたデザインを示している。
【０２６３】
図１７〜図２５に示される全てのデザインにおいて、遠見基準点ＢＦは８ｍｍの垂直高さ（ｙＢＦ＝８ｍｍ）にあり、心取り点ＢＺは４ｍｍの垂直高さ（ｙＢＺ＝４ｍｍ）にあり、また、近見基準点ＢＮは−１４ｍｍの垂直高さ（ｙＢＮ＝−１４ｍｍ）にある。
【０２６４】
図１７〜図２５に示されるプログレッシブ眼鏡レンズデザインは、以下のパラメータｓｐｈ＝０．５０Ｄ、ｃｙｌ＝０．００Ｄ、加入度数＝２．５Ｄを有するプログレッシブ眼鏡レンズのための眼鏡レンズデザインに関連する。眼鏡レンズは、以下のパラメータを伴う着用位置にある。
瞳孔間距離右（ＰＤＲ）＝３２ｍｍ、
瞳孔間距離左（ＰＤＬ）＝３２ｍｍ、
角膜頂点間距離（ＣＶＤ）＝１３ｍｍ、
前傾＝７°、
顔形角＝０°（すなわち、垂直位置に対する眼鏡レンズの傾きがない）
【０２６５】
前面のベースカーブＤ１は５．５Ｄである。球状前面の半径は９５．４５４５ｍｍである。眼鏡レンズの屈折率ｎは１．５９７に等しい。
【０２６６】
主線上のＤを単位とする相互物体距離（ｒｅｃｉｐｒｏｃａｌ  ｏｂｊｅｃｔ  ｄｉｓｔａｎｃｅ）は、以下の二重漸近線関数によって表わされる。
【数１５８】
0005749180.tif 000161
【０２６７】
図１７〜図２５の全てにおいて、眼鏡レンズデザインは、主線１０、ベース目標等非点収差線１２、および、更なる目標等非点収差線１４を有する。ベース目標等非点収差線１２および更なる目標等非点収差線１４の経路は、視覚帯の重み付け（すなわち、遠見帯および／または近見帯の重み付け）、および随意的にダイナミクスの重み付けに基づいて、自動的に変えられる。その後、それぞれのベース目標等非点収差線１２および更なる目標等非点収差線１４を示す目標非点収差分布が、自動的に計算される。
【０２６８】
主線１０上の目標非点収差値と更なる目標等非点収差線１４上の目標非点収差値との間の目標非点収差分布の計算は、累進帯における線形補間を用いて、並びに、遠見帯および近見帯における四次補間（ｑｕａｄｒａｎｇｕｌａｒ  ｐａｒａｂｌｅ）を用いて行なわれる。指数の移行は以下のように線形である。
【数１５９】
0005749180.tif 000162
この場合、１≦ｐ（ｙ）≦２が成り立つ。
【０２６９】
したがって、遠見帯および近見帯において、目標非点収差のより滑らかな水平増大を得ることができる。
【０２７０】
更なる目標等非点収差線１４上の目標非点収差値とベース目標等非点収差線１２上の目標非点収差値との間で、目標非点収差値の計算が線形補間によって行なわれる。外周では、前述した円錐台モデルにしたがって目標非点収差分布の計算が行なわれる。
【０２７１】
図１７ａ〜図１７ｃはそれぞれ、開始デザインの制御点および構成線（図１７ａ）、図１７ａに示される開始デザインの目標非点収差分布（図１７ｂ）、および、図１７ｂに示される目標非点収差分布にしたがって最適化される眼鏡レンズの実際の（着用位置における）非点収差分布（図１７ｃ）を示している。
【０２７２】
遠見部において、開始デザインの０．５Ｄベース目標等非点収差線１２は、逆正接関数（逆正接表示）によって表わされる。外周では、前述した円錐台モデルにしたがって目標非点収差分布が計算される。遠見部および近見部の重み付けはそれぞれ（ｇＦ＝ｇＮ＝５０％）である。ダイナミクスの重み付けｇＤは０％である。また、開始デザインは、遠見部において更なる０．２５Ｄ目標等非点収差線１４を備える。
【０２７３】
図１６ａおよび図１６ｂは、制御点（主点）の位置と、０．５Ｄベース目標等非点収差線および更なる０．２５Ｄ目標等非点収差線の制御点の位置の最大限に許容できる変化と、を示している。
【０２７４】
以下の表３は、開始デザインのベース目標等非点収差線および更なる目標等非点収差線の制御点の位置を示している。制御点は、主線に対して対称に配置される。したがって、側頭の制御点（ｕ＞０）だけが示される
【表３】
0005749180.tif 000163
【０２７５】
遠見部の制御点は、水平および垂直の両方にシフトされ得る。以下が成り立つ。
【数１６０】
0005749180.tif 000164
【数１６１】
0005749180.tif 000165
【０２７６】
ここで、
【数１６２】
0005749180.tif 000166
は、開始デザインのそれぞれの制御点の位置を示し、
【数１６３】
0005749180.tif 000167
は、シフトされた制御点の位置を示し、
【数１６４】
0005749180.tif 000168
は、最大限に許容できる外側および内側シフトを示す。ｇＦ＜５０％において、遠見部の対応する制御点は内側／上方へシフトされる。ｇＦ＞５０％において、遠見部の対応する制御点は外側／下方へシフトされる。
【０２７７】
この例では、近見部の０．５Ｄベース目標等非点収差線の制御点が、水平のみにシフトされ得る。以下が成り立つ。
【数１６５】
0005749180.tif 000169
ここで、ｕ０は、開始デザインの近見部における第３の制御点の主線からの水平距離を示し、ｕＮは、近見部におけるシフトされた制御点の主線からの水平距離を示す。
【０２７８】
以下の表４は、制御点の位置の最大限に許容できる変化を示している。
【表４】
0005749180.tif 000170
【０２７９】
以下の表５は、遠見部重み付けおよび近見部重み付けｇＦおよびｇＮと、デザイン変更における制御点との間の関係を示している。
【表５】
0005749180.tif 000171
【０２８０】
開始デザインの第１の変更
【０２８１】
図１８は、開始デザインの第１の変更にしたがった第１の変換されたデザインの入力パラメータを用いて、制御点の位置を入力して変えるためのグラフィカルユーザインタフェース７０の一例を示している。
【０２８２】
図１９ａおよび図１９ｂは、第１の変換されたデザインを示しており、ここで図１９ａは、構成線主線１０、ベース目標等非点収差線１２、および、更なる目標等非点収差線１４−並びに対応する制御点１６〜２４を示し、図１９ｂは、図１９ａに示される変換されたデザインの対応する目標非点収差分布を示す。遠見部におけるベース目標等非点収差線は、開始デザインと同様に、逆正接関数（逆正接表示）によって表わされる。
【０２８３】
このデザイン変更では、遠見部および近見部が様々に重み付けられる。例えば、重み付けｇＦ＝０％であり、近見部の重み付けｇＮ＝１００％である。ダイナミクスの重み付けｇＤは０％である。制御点のシフトは、重み付けに基づいて自動的に計算される。ベース目標等非点収差線１２および更なる目標等非点収差線１４の経路は、それらが対応してシフトされる制御点を通るように変えられる。その後、変えられたベース目標等非点収差線および更なる目標等非点収差線を示す目標非点収差分布が、補間によって決定される。このようにして計算された目標非点収差分布が図１９ｂに示されている。随意的に、このようにして計算された目標非点収差分布を、例えば、スケーリングファクタを乗じることにより、最大限に許容できる非点収差値の適合により、あるいは、更なる変更により更に変更することができる。
【０２８４】
図１９ｃは、図１９ｂに示される目標非点収差分布にしたがって最適化された眼鏡レンズの実際の（着用位置における）非点収差分布を示している。
【０２８５】
図１７ａ、ｂに示される開始デザインの第１の変換または変更により、極めて近見部へ指向されたデザインを伴うプログレッシブ眼鏡レンズデザインまたはプログレッシブ眼鏡レンズを自動的に得ることができる。
【０２８６】
開始デザインの第２の変更
【０２８７】
図２０は、図１７ａ、ｂに示される開始デザインの変更によって自動的に計算される第２の変換されたデザインの入力パラメータを用いて、制御点を入力して変えるためのグラフィカルユーザインタフェース７２の一例を示している。
【０２８８】
図２１ａおよび図２１ｂは、第２の変換されたデザインを示しており、ここで図２１ａは、構成線主線１０、ベース目標等非点収差線１２、および、更なる目標等非点収差線１４−並びに対応する制御点１６〜２４を示し、図２１ｂは、図２１ａに示される変換されたデザインの対応する目標非点収差分布を示す。また、遠見部におけるベース目標等非点収差線は、開始デザインと同様に、逆正接関数（逆正接表示）によって表わされる。
【０２８９】
この第２のデザイン変更において、遠見部の重み付けはｇＦ＝７０％であり、近見部の重み付けｇＮ＝２０％である。ダイナミクスの重み付けｇＤは０％である。制御点のシフトは、新たな重み付けｇＦおよびｇＮに基づいて自動的に計算される。ベース目標等非点収差線１２および更なる目標等非点収差線１４の経路は、それらが対応してシフトされる制御点を通るように変えられる。その後、変えられたベース目標等非点収差線および更なる目標等非点収差線を示す目標非点収差分布が、図２０ｂに示される補間によって決定される。随意的に、このようにして計算された目標非点収差分布を、例えば、スケーリングファクタを乗じることにより、最大限に許容できる非点収差値の適合により、あるいは、更なる変更により更に変更することができる。
【０２９０】
図２１ｃは、図２１ｂに示される目標非点収差分布にしたがって最適化された眼鏡レンズの実際の（着用位置における）非点収差分布を示している。
【０２９１】
図１７ａ、ｂに示される開始デザインの第２の変換または変更により、近見部を犠牲にして（５０％→２０％）遠見部に僅かに重きを置く（５０％→７０％）プログレッシブ眼鏡レンズデザインまたはプログレッシブ眼鏡レンズを自動的に得ることができる。
【０２９２】
開始デザインの第３の変更
【０２９３】
図２２は、図１７ａ、ｂに示される開始デザインの変更によって自動的に計算される第３の変換されたデザインの入力パラメータを用いて制御点の位置を入力して変えるためのグラフィカルユーザインタフェース７４の一例を示している。
【０２９４】
図２３ａおよび図２３ｂは、第３の変換されたデザインを示しており、ここで図２３ａは、構成線主線１０、ベース目標等非点収差線１２、および、更なる目標等非点収差線１４−並びに対応する制御点１６〜２４を示し、図２３ｂは、図２３ａに示される変換されたデザインの対応する目標非点収差分布を示す。
【０２９５】
第１または第２の変更の場合と異なり、この変更では、ベース目標等非点収差線１２および更なる目標等非点収差線１４の表示に関して、逆正接表示から多項式表示へと切り換える。多項式表示におけるそれぞれの制御点（ｕｐ，ｙｐ）（すなわち、ベース目標等非点収差線１２および更なる目標等非点収差線１４の遠見部のそれぞれの制御点）は、以下のように開始デザインのベース目標等非点収差線または更なる目標等非点収差線の逆正接表示の２つの制御点（ｕ１，ｙ１），（ｕ２，ｙ２）から平均化することによって計算され得る。
【数１６６】
0005749180.tif 000172
【０２９６】
逆正接表示から多項式表示への切り換えは、遠見部の重み付けｇＦに自動的に依存し得る。例えば、０．５Ｄベース目標等非点収差線および更なる目標等非点収差線を、ｇＦ＝８１％およびｇＦ＝９１％から多項式表示へとそれぞれ切り換えることができる。
【０２９７】
第３のデザイン変更において、遠見部の重み付けはｇＦ＝１００％であり、近見部の重み付けｇＮ＝２０％である。ダイナミクスの重み付けｇＤは０％である。制御点のシフトは、新たな重み付けｇＦおよびｇＮに基づいて自動的に計算される。ベース目標等非点収差線１２および更なる目標等非点収差線１４の経路は、それらが対応してシフトされる制御点を通るように変えられる。その後、変えられたベース目標等非点収差線および更なる目標等非点収差線を示す目標非点収差分布が、図２３ｂに示される補間によって決定される。随意的に、このようにして計算された目標非点収差分布を、例えば、スケーリングファクタを乗じることにより、最大限に許容できる非点収差値の適合により、あるいは、更なる変更により更に変更することができる。
【０２９８】
図２３ｃは、図２３ｂに示される目標非点収差分布にしたがって最適化された眼鏡レンズの実際の（着用位置における）非点収差分布を示している。
【０２９９】
開始デザインの第３の変更により、最大の重点を自動的に遠見部に置くことができる。
【０３００】
開始デザインの第４の変更
【０３０１】
図２４は、図１６に示される開始デザインの変更によって自動的に計算される第３の変換されたデザインの入力パラメータを用いて制御点の位置を入力して変えるためのグラフィカルユーザインタフェース７６の一例を示している。
【０３０２】
図２５ａおよび図２５ｂは、第４の変更にしたがって変換された開始デザインを示しており、ここで図２５ａは、構成線主線１０、ベース目標等非点収差線１２、および、更なる目標等非点収差線１４−並びに対応する制御点を示し、図２５ｂは、図２５ａに示される変換されたデザインの対応する目標非点収差分布を示す。第３の変更と同様に、この第４の変更では、ベース目標等非点収差線１２および更なる目標等非点収差線１４の表示に関して、逆正接表示から多項式表示へと切り換える。
【０３０３】
第４のデザイン変更において、遠見部の重み付けはｇＦ＝１００％であり、近見部の重み付けｇＮ＝２０％である。ダイナミクスの重み付けｇＤは８０％である。制御点のシフトは、新たな重み付けｇＦおよびｇＮに基づいて自動的に計算される。
【０３０４】
ベース目標等非点収差線１２および更なる目標等非点収差線１４の経路は、それらが対応してシフトされる制御点を通るように変えられる。その後、変えられたベース目標等非点収差線および更なる目標等非点収差線を示す目標非点収差分布が、補間によって決定される。
【０３０５】
このように決定された目標非点収差分布には、以下のように、重み付けダイナミクスを考慮に入れるべくグローバルスケーリングファクタｓ（ｕ，ｙ）が乗じられる。
【数１６７】
0005749180.tif 000173
ここで、Ａｔａｒｇｅｔ（ｕ，ｙ）は、予め決定される目標非点収差分布である。
【０３０６】
グローバルスケーリングファクタｓ（ｕ，ｙ）を乗じることは、先に詳しく説明した。特に、スケーリングファクタは以下のように計算することができる。
【数１６８】
0005749180.tif 000174
【数１６９】
0005749180.tif 000175
ここで、例えば、ｕ１＝０、ｕ２＝２５、ｆ０＝１、ｂ＝１、ａ＝−０．４、ｃ＝−０．３、ｄ＝１０、および、ｍ＝１である。
【０３０７】
滑らかな外周移行とパラメータ重み付けダイナミクスｇＤとの間の簡単な関係は、例えば、ｇＤに応じて係数ａ（２つの漸近線の差）を変えることによって確立され得る。例えば、係数ａが以下のように計算され得る。
【数１７０】
0005749180.tif 000176
【０３０８】
残りの係数は、適切に定められ、あるいは特定され得る。
【０３０９】
重み付けダイナミクスｇＤ＝１００％に関して最大限に許容できる値ａｍａｘを、他の係数と同様にデザイン固有の方法で定めることができる。ｇＤ＝０、ａ＝０において、ｂ＝１のときには、ｓ（ｕ，ｙ）＝ｃｏｎｓｔ＝１が成り立つ。
【０３１０】
結果として得られる目標非点収差分布が、図２５ｂに示されている。図２５ｃは、図２５ｂに示される目標非点収差分布にしたがって最適化された眼鏡レンズの実際の（着用位置における）非点収差分布を示している。
【０３１１】
開始デザインの第４の変更により、最大の重点を自動的に遠見部に置くことができる。重み付けダイナミクスｇＤ（ｇＤ＝９０％）の更なる考慮は、外周非点収差および外周非点収差勾配の更なる減少を可能にする。したがって、活動的な行動（例えばスポーツ）により良く適するプログレッシブ眼鏡レンズのためのデザインが自動的に計算され得る。
【０３１２】
図２６は、顧客選好を得るためのグラフィカルユーザインタフェース７８の一例を示している。遠見帯および近見部の重み付け並びに重み付けダイナミクスは、得られた顧客選好および活発な挙動に関する情報並びに随意的には眼鏡着用者の更なる個人データに基づいて決定され得る。
【０３１３】
遠見、中間範囲、および、近見における並びに眼鏡着用者の活発な挙動における５つの異なるピクトグラムは、眼鏡着用者が自分のデザインプロファイルを選択する際に互いに対して重み付けなければならない帯域を象徴している。ピクトグラムは、それぞれの距離範囲の一例としての機能を果たし、これらの距離において想定し得る全ての行動の僅かな選択だけを表わしている。範囲は、割り当てられるべきポイントをもって重み付けられ得る。具体的な例では、全体で９個のポイントを４つの異なる範囲（遠見、中間範囲、近見、および、活発な挙動）に割り当てることができる。それぞれの遠見範囲が顧客にとって重要になればなるほど、あるいは、顧客の行動が１つの範囲に入り込めば入り込むほど、より多くのポイントがこの範囲に割り当てられる。範囲ごとのポイントの数およびポイントの総数は、制限されていてもよい。例えば、範囲ごとに最大で５つのポイントを割り当てることができるが、総数は９を越えない。
【０３１４】
割り当てられたポイントは、眼鏡着用者の個々のデザインプロファイルを決定する。所定の総数のポイントに対して遠見部のために多くのポイントが割り当てられるほど、それぞれの視覚帯の重み付けが大きくなる。活発な挙動および中間範囲視野における点は、主に累進帯の長さに影響を及ぼし、したがって、眼鏡レンズの歪みフリーの程度をも決定する。活発な挙動における点は、特に、重み付けダイナミクスと相関関係を持つことができる。ポイントの割り当てにおいて、各範囲の同じ数のポイントは、バランスのとれた汎用デザインに対応する。
【０３１５】
図２７は、好ましい方法にしたがって計算される決定されたプログレッシブ眼鏡レンズデザインに基づく、（個別に最適化される）プログレッシブ眼鏡レンズの製造のための典型的な処理流れを概略的に示している。
【０３１６】
第１のステップ（Ｓ１）では、（個々の）デザイン固有および／または眼鏡レンズ固有データが検出される。デザイン固有および／または眼鏡レンズ固有データは、入力を可能にし、随意的に入力データの変更を可能にする適切なグラフィカルユーザインタフェース（ＧＵＩ）によって得ることができる。
【０３１７】
眼鏡レンズ固有データは、特に、屈折データ（球面度数、円柱度数、軸線、加入度数、プリズム、ベース）、フレームおよび心取りデータ（垂直レンズサイズおよび心出し高さ、フレーム形状）、および／または、眼鏡の着用状況または着用位置のパラメータ（特に、瞳孔間距離、角膜頂点間距離、前傾、顔形角など）を含む。デザイン固有データは、特に、主要な用途に関連するデータ、または、プログレッシブレンズの主要な使用焦点（運転、コンピュータ職場、読書、工芸等）に関連するデータ、および／または、視覚帯（遠見帯、近見帯、および、中間帯または累進帯）に対する選好に関連するデータを含むことができる。得られた個々の選好および／または使用の焦点に基づいて、対応する重み付け（重み付け遠見、重み付け近見、重み付け中間帯、重み付けダイナミクス）を個々の視覚帯に割り当てることができる。
【０３１８】
また、デザイン固有データは、読書（近見作業）時の作業距離、遠見における作業距離などの物体距離に関連するデータ、および／または、調節モデルに関連するデータを含むことができる。
【０３１９】
デザインおよび眼鏡レンズに固有のデータが得られてアクセスされ、また、それらのデータは、ベース目標等非点収差線の最適な経路または視覚帯の最適なサイズ、および、好ましくは基準点遠見および基準点近見の最適な空間位置の決定を制御する。
【０３２０】
第２のステップ（Ｓ２）では、得られた個々のデータに基づいて、特定の着用状況で特定の眼鏡着用者にとって最良のベース目標等非点収差線の経路、したがって、視覚帯（遠見帯、近見帯、および、累進帯）の最適なサイズおよび／または位置、並びに、随意的には遠見および／または近見基準点の最適な空間位置が計算されあるいは定められる。これは、得られた個々のデータに基づいて手動で、あるいは好ましくは自動で行なうことができる。
【０３２１】
更なるステップ（Ｓ３）では、ステップＳ２で決定されたベース目標等非点収差線の最適な経路を用いて、好ましくは、特定された開始デザイン８０の変換により好ましい方法にしたがって決定された遠見基準点および近見基準点の最適位置を用いて、プログレッシブレンズデザインまたはプログレッシブレンズデザインのための提案が計算される。このデザイン提案は、適切なグラフィカルユーザインタフェースによって視覚化され、その場合、ユーザには、ベース目標等非点収差線の経路を変えることによって（例えば、制御点をシフトすることによって）、随意的には遠見および／または近見基準点の個々の位置を変えることによって、および／または、デザインおよび眼鏡レンズに固有のデータ、特に選好、フレームデータ、重み付け等を変えることによって、デザインを積極的に変更するための機会が与えられる。
【０３２２】
ベース目標等非点収差線の経路、随意的には遠見および／または近見基準点の位置、および／または、視覚帯に関する選好は、例えば適切なインタラクティブなグラフィカルユーザインタフェースによって変えることができあるいは適合させることができる。
【０３２３】
新たな眼鏡レンズデザインがリアルタイムで計算されて視覚化されることが好ましい。同様に、開始デザインに対する新たな眼鏡レンズデザインの光学特性の違いあるいは変更が視覚化され得る。
【０３２４】
また、計算された（個々の）デザインまたはデザイン提案に基づき、（好ましくは三次元モジュールの携帯を成す）適切なグラフィカルユーザインタフェースを用いて、眼鏡レンズの対応する幾何学的データ（中心厚さ、エッジ厚さ、ベースカーブ、重み）が同様に計算され視覚化され得る。特に、化粧特性または眼鏡レンズの審美性に関連するデータ（例えば、重みや、製造高さ、最大エッジ厚さ、中心厚さなどの幾何学的データ等）が視覚化され得る。眼鏡レンズの化粧特性の視覚化は、例えば、決定された幾何学的データを伴う眼鏡レンズのモデルの三次元グラフィック表示によって実現され得る。眼鏡レンズの化粧特性の表示は、例えばベースカーブおよび屈折率の選択によって影響され得る。選択は、屈折力に依存する場合がある。
【０３２５】
眼鏡レンズの幾何学的特性および／または化粧特性の視覚化に加えて、眼鏡レンズの光学特性（視覚帯、特に個々の視覚帯の空間位置およびサイズ、ベース目標等非点収差線の経路など）の視覚化を行なうことができる。視覚帯のサイズの表示は、想定し得る材料依存性を考慮に入れることなく、処方データに関連してのみ行なわれ得る。無論、材料依存性の考慮を行なうこともできる。
【０３２６】
また、視認快適性（例えば、下転、揺れ動き、周辺視野、歪み等）の視覚化をもたらすことができる。
【０３２７】
また、視覚帯、視認快適性、および／または、計算された眼鏡レンズの化粧特性または審美性に関連する性能値の適切な表示が提供されていてもよい。また、別のデザイン提案および／または別のデザイン提案の性能値が同様に与えられ得る。
【０３２８】
その後（ステップＳ４）、最終的な個々のデザインに基づいて個々のプログレッシブ眼鏡レンズが計算されあるいは最適化され、この場合、眼鏡レンズの計算または最適化において、眼鏡着用者に関連する（個人）データ（個々の着用状況、フレームデータ、眼鏡着用者の眼に関連するデータなど）が同様に考慮に入れられてもよい。数値制御された機械との直接的な適合により、鋳造法により、あるいは、他の適した方法により、最終的な計算されたあるいは最適化された眼鏡レンズを、例えばガラスまたはプラスチックから製造することができる（ステップ５）。
【０３２９】
図２８は、プログレッシブ眼鏡レンズデザインまたはプログレッシブ眼鏡レンズのためのデザインを生成あるいは計算するための装置、随意的には計算されたデザインに基づいて眼鏡レンズを計算あるいは最適化するための装置の一例の概略表示を示している。
【０３３０】
好ましい装置は、少なくとも第１のコンピュータ１００を有するコンピュータシステム９０を備える。しかしながら、随意的に、コンピュータシステム７０は、（単一方向、双方向、および／または、多方向）ネットワーク３００によって互いに接続される複数のコンピュータ１０ｑ、ｑ＝１、２、．．．、を備えることができる。
【０３３１】
コンピュータ１００は、プロセッサ１１０、メモリ１２０、および、バス１３０を有する。また、コンピュータ１００は、入力デバイス１４０および／または出力デバイス１５０を備えることができる。コンピュータ１００の要素１１０〜１７０は、コンピュータ１０１、１０２等の対応する要素を一般化する。例えば、コンピュータ１００は、従来のパーソナルコンピュータ（ＰＣ）、マルチプロセッサコンピュータ、メインフレームコンピュータ、ポータブルＰＣ（ラップトップ）、または、固定ＰＣ等である。
【０３３２】
コンピュータ１００のプロセッサ１１０は、例えば、中央プロセッサ（ＣＰＵ）、マイクロコントローラ（ＭＣＵ）、または、デジタル信号プロセッサ（ＤＳＰ）である。
【０３３３】
メモリ１２０は、時間的に制限される態様であるいは永久的な態様でデータおよびコメントを記憶する要素を象徴している。より良い理解のためにメモリ１２０がコンピュータ１００の一部として示されているが、記憶機能は、他の場所、例えばプロセッサ自体（例えば、キャッシュ、レジスタ）でおよび／またはネットワーク３００でも、例えばコンピュータ１０１／１０２でも実施され得る。メモリ１２０は、リードオンリーメモリ（ＲＯＭ）、ランダムアクセスメモリ（ＲＡＭ）、プログラム可能またはプログラム不可能なＰＲＯＭ、または、他のアクセスオプションを有するメモリであってもよい。メモリ１２０は、コンピュータ可読プログラムキャリア上で、例えば
（ａ）磁性キャリア（ハードディスク、フロッピディスク、磁気テープ）、
（ｂ）光学キャリア（ＣＤ−ＲＯＭ，ＤＶＤ）、
（ｃ）半導体キャリア（ＤＲＡＭ、ＳＲＡＭ、ＥＰＲＯＭ、ＥＥＰＲＯＭ）
上で物理的に実施されあるいは記憶され得る。
【０３３４】
随意的に、メモリ１２０を、異なる媒体にわたって分布させることができる。メモリ１２０の一部を、固定態様であるいは交換可能な態様で取り付けることができる。コンピュータ１００は、読み書きのためにフロッピディスクドライブなどの既知の手段を使用する。
【０３３５】
メモリ１２０は、バイアス（Ｂａｓｉｃ  Ｉｎｐｕｔ  Ｏｕｔｐｕｔ  Ｓｙｓｔｅｍ）、オペレーティングシステム（ＯＳ）、プログラムライブラリ、コンパイラ、インタープリタ、および／または、スプレッドシートまたはワードプロセッシングプログラムなどのサポートコンポーネントを記憶できる。これらのコンポーネントは、より良い理解のために図示されない。サポートコンポーネントは、市販されており、専門家によりコンピュータ１００にインストールすることができあるいはコンピュータ１００上で実行できる。
【０３３６】
また、メモリ１２０は、開始デザインまたは基本デザインおよびデザイン固有または眼鏡レンズ固有のパラメータおよび／またはフレームワーク状態を記憶できる。
【０３３７】
プロセッサ１１０、メモリ１２０、入出力デバイスは、少なくとも１つのバス１３０を介して接続され、および／または、随意的には（単一方向、双方向、および／または、多方向）ネットワーク３００（例えばインターネット）を介して結合され、または、互いに通信する。バス１３０およびネットワーク３００は、コマンドおよびデータ信号の両方を送信する論理的なおよび／または物理的な接続に相当する。コンピュータ１００内の信号は主に電気信号であり、一方、ネットワークでの信号は、電気信号、磁気信号、および／または、光信号であり、または、無線信号である。
【０３３８】
ネットワーク環境（ネットワーク３００など）は、オフィス、カンパニー広域コンピュータネットワーク、イントラネット、および、インターネット（ワールドワイドウェブ）において共通である。ネットワーク内のコンピュータ間の物理的距離は、何ら重要ではない。ネットワーク３００は、無線または有線ネットワークであってもよい。ネットワーク３００の実施のための想定し得る例は、ローカルエリアネットワーク（ＬＡＮ）、無線ローカルエリアネットワーク（ＷＬＡＮ）、広域ネットワーク（ＷＡＮ）、ＩＳＤＮネットワーク、赤外線リンク（ＩＲ）、無線リンク、例えばユニバーサル・モバイル・テレコミュニケーション・システム（ＵＭＴＳ）、または、サテライトリンクである。送信プロトコルおよびデータフォーマットは知られている。そのような例は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）、ＵＲＬ（Ｕｎｉｑｕｅ  Ｒｅｓｏｕｒｃｅ  Ｌｏｃａｔｏｒ）、ＨＴＭＬ（Ｈｙｐｅｒｔｅｘｔ  Ｍａｒｋｕｐ  Ｌａｎｇｕａｇｅ）、ＸＭＬ（Ｅｘｔｅｎｓｉｂｌｅ  Ｍａｒｋｕｐ  Ｌａｎｇｕａｇｅ）、ＷＭＬ（Ｗｉｒｅｌｅｓｓ  Ａｐｐｌｉｃａｔｉｏｎ  Ｍａｒｋｕｐ  Ｌａｎｇｕａｇｅ）、無線アプリケーションプロトコル（ＷＡＰ）などである。
【０３３９】
入出力デバイスは、ユーザインタフェース１６０の一部であってもよい。
【０３４０】
入力デバイス１４０は、コンピュータ１００によって処理されるべき命令およびデータを与えるデバイスである。例えば、入力デバイス１４０は、キーボード、ポインティングデバイス（マウス、トラックボール、カーソル矢印）、マイクロホン、ジョイスティック、スキャナである。これらの例は、好ましくはグラフィカルユーザインタフェースを介した人間の相互作用を伴う全てのデバイスであるが、デバイス１４０は、（例えば衛星アンテナまたは地上アンテナによる）無線受信器またはセンサ（例えば温度計）など、人間の相互作用を伴わずに済ませることもできる。入力デバイス１４０は、記憶媒体またはキャリア１７０を読み取るために使用できる。
【０３４１】
出力デバイス１５０は、既に処理されたデータおよび命令を表示するデバイスを示す。それらの例は、モニタまたは異なるディスプレイ（陰極線管、フラトスクリーン、液晶ディスプレイ、ラウドスピーカ、プリンタ等）である。入力デバイス１４０と同様に、出力デバイス１５０は、好ましくはグラフィカルユーザインタフェースを介してユーザと通信することが好ましい。出力デバイスは、他のコンピュータ１０１、１０２等とも通信する。
【０３４２】
また、コンピュータにロードされて実行されるときに、プログレッシブ眼鏡レンズデザインまたはプログレッシブ眼鏡レンズのためのデザインを生成あるいは計算するための方法、および随意的には計算されたデザインに基づいて眼鏡レンズを計算しあるいは最適化するための方法を行なうよう適合されたコンピュータプログラムプロダクト２００が提供される。コンピュータプログラムプロダクト２００を、物理記憶媒体またプログラムキャリア２１０に記憶させることができ、あるいはプログラム信号として与えることができる。
【０３４３】
コンピュータプログラムプロダクト２００は、特に本発明または本発明の好ましい実施形態に係る方法の方法ステップをプロセッサ１１０に実行させるプログラム命令および随意的にデータを含む。言い換えると、コンピュータプログラム２００は、コンピュータ１００の機能、および、ネットワークシステム３００とのコンピュータの相互作用を定める。例えば、コンピュータプログラムプロダクト２００を、任意のプログラミング言語のソースコードとしておよび／またはコンパイルされた形式（すなわち、機械可読形式）の２進コードとして与えることができる。当業者は、前述したサポートコンポーネント（例えば、コンパイラ、インタープリタ、オペレーティングシステム）のいずれかと関連してコンピュータプログラムプロダクト２００を使用できる。
【０３４４】
コンピュータプログラムプロダクト２００がメモリ１２０に記憶されるものとして示されているが、コンピュータプログラムプロダクト１００は、他の場所に記憶されていてもよい。コンピュータプログラムプロダクト２００を、記憶媒体またはプログラムキャリア１７０に記憶させることもできる。同様に、開始デザインまたは基本デザインおよび／またはデザイン固有および／または眼鏡レンズ固有のパラメータおよび／またはフレームワーク状態は、メモリ１２０に記憶されてはならず、望み通りに他の場所、例えば記憶媒体１７０に記憶されなければならない。
【０３４５】
記憶媒体１７０は、コンピュータ１００の外部にあるように典型的に示される。コンピュータプログラムプロダクト２００をコンピュータ１００へ転送するために、記憶媒体１７０を入力デバイス１４０に挿入することができる。記憶媒体１７０を、任意のコンピュータ可読キャリアとして、例えば前述した媒体（メモリ１２０参照）のうちの１つとして実施できる。好ましくは、ネットワーク３００を介してコンピュータ１００に転送されるプログラム信号１８０は、コンピュータプログラムプロダクト２００を含むこともでき、あるいは、コンピュータプログラムプロダクトの一部となることもできる。
【０３４６】
コンピュータシステム１０の個々のコンポーネントを結合するためのインタフェースも知られている。簡単のため、インタフェースは示されていない。インタフェースは、例えば、シリアルインタフェース、パラレルインタフェース、ゲームポート、ユニバーサル・シリアル・バス（ＵＳＢ）、内部または外部モデム、グラフィックス・アダプタ、および／または、音源カードを有することができる。
【０３４７】
また、プログレッシブ眼鏡レンズデザインまたはプログレッシブ眼鏡レンズのためのデザインを生成するあるいは計算するための装置、並びに、随意的には計算されたデザインに基づいて眼鏡レンズを計算あるいは最適化するための装置は、眼鏡レンズを仕上げるための機械加工手段を備えることができる。機械加工手段は、例えば、眼鏡レンズの決定されたデータにしたがってブランクを直接に機械加工するためのＣＮＣ機械を備えることができる
【符号の説明】
【０３４８】
１０  主線
１２  鼻のベース目標等非点収差線
１４  鼻の更なる目標等非点収差線
１６  遠見帯における鼻のベース目標等非点収差線の第１の制御点
１８  遠見帯における鼻のベース目標等非点収差線の第２の制御点
２０  遠見帯における更なる鼻の目標等非点収差線の第１の制御点
２２  遠見帯における更なる鼻の目標等非点収差線の第２の制御点
２４  近見帯におけるベース目標等非点収差線の第１の制御点
２６〜３４  それに沿ってそれぞれの制御点が移動できる直線
３６  グラフィカルユーザインタフェース
３８〜４６  グラフィカルユーザインタフェース３６のセクション
４８  局所重み付けを入力するあるいは与えるためのグラフィカルユーザインタフェース
５０〜５４  グラフィカルユーザインタフェース４８のセクション
５６、５８  ベース目標等非点収差線のパラメータを入力するためのグラフィカルユーザインタフェース
６０  グラフィカルユーザインタフェース５８のセクション
６２、６４  直線
６６〜７６  制御点を入力して変えるためのグラフィカルユーザインタフェース
７８  顧客選好を得るためのグラフィカルユーザインタフェース
８０  開始デザイン
９０  コンピュータシステム
１００、１０ｑ  コンピュータ
１１０  プロセッサ
１２０  メモリ
１３０  バス
１４０  入力デバイス
１５０  出力デバイス
１６０  ユーザインタフェース
１７０  記憶媒体またはキャリア
１８０  プログラム信号
２００  コンピュータプログラムプロダクト
３００  ネットワーク
【図１】
0005749180.tif 000203
【図２ａ】
0005749180.tif 000204
【図２ｂ】
0005749180.tif 000205
【図３】
0005749180.tif 000206
【図４ａ】
0005749180.tif 000207
【図４ｂ】
0005749180.tif 000208
【図５ａ】
0005749180.tif 000209
【図５ｂ】
0005749180.tif 000210
【図６ａ】
0005749180.tif 000211
【図６ｂ】
0005749180.tif 000212
【図７ａ】
0005749180.tif 000213
【図７ｂ】
0005749180.tif 000214
【図７ｃ】
0005749180.tif 000215
【図８ａ】
0005749180.tif 000216
【図８ｂ】
0005749180.tif 000217
【図８ｃ】
0005749180.tif 000218
【図９】
0005749180.tif 000219
【図１０】
0005749180.tif 000220
【図１１】
0005749180.tif 000221
【図１２ａ】
0005749180.tif 000222
【図１２ｂ】
0005749180.tif 000223
【図１３ａ】
0005749180.tif 000224
【図１３ｂ】
0005749180.tif 000225
【図１４】
0005749180.tif 000226
【図１５】
0005749180.tif 000227
【図１６ａ】
0005749180.tif 000228
【図１６ｂ】
0005749180.tif 000229
【図１７ａ】
0005749180.tif 000230
【図１７ｂ】
0005749180.tif 000231
【図１７ｃ】
0005749180.tif 000232
【図１８】
0005749180.tif 000233
【図１９ａ】
0005749180.tif 000234
【図１９ｂ】
0005749180.tif 000235
【図１９ｃ】
0005749180.tif 000236
【図２０】
0005749180.tif 000237
【図２１ａ】
0005749180.tif 000238
【図２１ｂ】
0005749180.tif 000239
【図２１ｃ】
0005749180.tif 000240
【図２２】
0005749180.tif 000241
【図２３ａ】
0005749180.tif 000242
【図２３ｂ】
0005749180.tif 000243
【図２３ｃ】
0005749180.tif 000244
【図２４】
0005749180.tif 000245
【図２５ａ】
0005749180.tif 000246
【図２５ｂ】
0005749180.tif 000247
【図２５ｃ】
0005749180.tif 000248
【図２６】
0005749180.tif 000249
【図２７】
0005749180.tif 000250
【図２８】
0005749180.tif 000251